(57)【特許請求の範囲】
【請求項１】
被検体をＸ線でスキャンしてデータを反復的に収集する収集部と、
前記被検体の注目部位を含む所定範囲を表す基準画像をあらかじめ記憶する記憶部と、
前記収集部を制御することにより、造影剤が投与された前記被検体の前記所定範囲に対しスキャンを実行させる制御部と、
前記スキャンにより反復的に収集されたデータに基づいて、前記被検体の造影画像を順次生成し、順次生成された前記造影画像と前記基準画像との差分処理に基づいて、前記造影画像が撮影された各時相におけるサブトラクション画像を生成する画像生成部と、
前記基準画像における前記注目部位を表す注目部分と、各時相について生成された前記サブトラクション画像の画素値に基づいて前記所定範囲内に流入された造影剤部分を表す造影部分とを特定し、前記基準画像における前記注目部分以外の部分の透明度を上げ、前記基準画像における前記造影部分との重畳部分の透明度を上げ、前記基準画像及び前記サブトラクション画像を合成した合成画像を生成する合成部と、
各時相について生成された前記サブトラクション画像それぞれにおいて特定された前記造影部分に基づいて前記造影部分の面積又は体積を求め、前記造影部分の面積又は体積の経時変化を示す情報を取得する算出部と、
前記経時変化を示す情報及び前記合成画像を表示する表示部と、
を有するＸ線ＣＴ装置。
【請求項２】
前記算出部は、前記経時変化を示す情報として、前記造影部分の面積又は体積の経時変化を表す変化曲線を生成し、
前記表示部は、前記変化曲線の表示と前記合成画像の表示とを同期させる
ことを特徴とする請求項１に記載のＸ線ＣＴ装置。
【請求項３】
前記算出部は、前記注目部分の面積又は体積を求め、前記注目部分の面積と前記造影部分の面積との比、又は、前記注目部分の体積と前記造影部分の体積との比を順次取得し、
前記表示部は、前記比の表示と前記合成画像の表示とを同期させる
ことを特徴とする請求項１に記載のＸ線ＣＴ装置。
【請求項４】
前記算出部は、前記注目部分の面積又は体積を求め、前記注目部分の面積と前記造影部分の面積との比、又は、前記注目部分の体積と前記造影部分の体積との比を順次取得し、
前記制御部は、前記比があらかじめ設定された閾値を超えたときに、前記表示部による前記造影部分又は当該造影部分の輪郭の表示態様を変更する
ことを特徴とする請求項１に記載のＸ線ＣＴ装置。
【請求項５】
前記算出部は、前記経時変化を示す情報に基づいて前記造影部分の面積又は体積の最大値を求める
ことを特徴とする請求項１に記載のＸ線ＣＴ装置。
【請求項６】
前記制御部は、前記算出部が前記最大値を求めたことに応じて、前記収集部による前記スキャンを停止させる
ことを特徴とする請求項５に記載のＸ線ＣＴ装置。
【請求項７】
前記画像生成部は、前記収集部から受けた前記データに再構成処理を行うことにより、断層像又はボリュームデータを生成し、
前記制御部は、前記算出部が前記最大値を求めたことに応じて、前記画像生成部による前記再構成処理を停止させる
ことを特徴とする請求項５に記載のＸ線ＣＴ装置。
【請求項８】
前記画像生成部は、前記収集部から受けた前記データに再構成処理を行うことにより、断層像又はボリュームデータを生成し、
前記制御部は、前記経時変化を示す情報に基づき、前記画像生成部による前記再構成処理を行う間隔を変更する
ことを特徴とする請求項１に記載のＸ線ＣＴ装置。
【請求項９】
前記画像生成部は、前記収集部から反復的に受けた前記データに基づき前記合成画像の動画像を生成し、
前記制御部は、前記算出部が前記最大値を求めたことに応じて、対応する前記動画像のフレームに対し、付帯情報を付加する
ことを特徴とする請求項５に記載のＸ線ＣＴ装置。
【請求項１０】
前記画像生成部は、前記収集部から反復的に受けた前記データに基づき前記合成画像の動画像を生成し、
前記制御部は、前記算出部が前記最大値を求めたことに応じて、前記動画像の画像データに対し、前記最大値の数値を示す情報を付帯情報として付加する
ことを特徴とする請求項５に記載のＸ線ＣＴ装置。
【請求項１１】
前記画像生成部は、前記収集部から反復的に受けた前記データに基づき前記合成画像の動画像を生成し、
前記制御部は、前記動画像の画像データに対し、前記経時変化を示す情報を付帯情報として付加する
ことを特徴とする請求項１に記載のＸ線ＣＴ装置。
【請求項１２】
記憶部が、被検体の注目部位を含む所定範囲を表す基準画像をあらかじめ記憶するステップと、
収集部が、前記所定範囲に対してスキャンを実行するステップと、
画像生成部が、前記スキャンにより反復的に収集されたデータに基づいて、造影剤が投与された前記被検体の造影画像を順次生成し、順次生成された前記造影画像と前記基準画像との差分処理に基づいて、前記造影画像が撮影された各時相におけるサブトラクション画像を生成するステップと、
合成部が、前記基準画像における前記注目部位を表す注目部分と、各時相について生成された前記サブトラクション画像の画素値に基づいて前記所定範囲内に流入された造影剤部分を表す造影部分とを特定し、前記基準画像における前記注目部分以外の部分の透明度を上げ、前記基準画像における前記造影部分との重畳部分の透明度を上げ、前記基準画像及び前記サブトラクション画像を合成した合成画像を生成するステップと、
算出部が、各時相について生成された前記サブトラクション画像それぞれにおいて特定された前記造影部分に基づいて前記造影部分の面積又は体積を求め、前記造影部分の面積又は体積の経時変化を示す情報を取得するステップと、
表示部が、前記経時変化を示す情報及び前記合成画像を表示するステップと、
を有する、Ｘ線ＣＴ装置による画像表示方法。
【発明の詳細な説明】
【技術分野】
【０００１】
本発明の実施形態は、Ｘ線ＣＴ装置および画像表示方法に関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、コンソール装置に送信される。コンソール装置は、当該検出データに前処理等を施し投影データを作成する。そして、コンソール装置は、投影データに基づく再構成処理を行う。またＸ線ＣＴ装置は、再構成処理したデータに基づきＸ線ＣＴ画像を作成する。
【０００４】
Ｘ線ＣＴ画像は疾病の診断、治療、手術計画などを含む多くの医療行為において重要な役割を果たしている。またＸ線ＣＴ装置において、撮影の際リアルタイムに画像を再構成することが可能である。リアルタイムにＸ線ＣＴ画像の再構成処理を行うことにより、撮影とほぼ同時に（リアルタイムに）Ｘ線ＣＴ画像を表示することが可能となる。
【０００５】
また、Ｘ線ＣＴ装置においては造影剤を用いた撮影も行われている。造影剤を用いた撮影では、被検体に造影剤を注入し、被検体の特定の臓器等の所定部位に造影剤を流入させる。所定部位に造影剤がされた状態で撮影を行うと、当該部位をコントラストの差により強調表示することができ、当該部位をより認識しやすくすることができる。造影剤による撮影は、当該部位における腫瘍の有無などの診断に資する。例えば、造影剤が注入された被検体のＸ線ＣＴ画像が、骨浸潤の診断に用いられる場合がある。
【０００６】
すなわち、造影剤を被検体に注入し、被検体の骨を含む領域を撮影することによりその骨を含む領域のＸ線ＣＴ画像が得られる。画像の閲覧者は、Ｘ線ＣＴ画像において骨を含む部分への造影剤の流入の状態を参照することにより、骨浸潤や骨転移等の状況を把握しやすくなる。
【先行技術文献】
【特許文献】
【０００７】
【特許文献１】特開２００３−３１０５９７号公報
【発明の概要】
【発明が解決しようとする課題】
【０００８】
病変部に対する処置は、臓器や骨などの被検体内の部位応じて、あるいは病変部の状況に応じて行われる。例えば、被検体の部位に対する病変部（腫瘍等）の浸潤の程度が、浸潤した部位の切除を行うか否かの判断に影響することがある。骨浸潤の場合であれば、骨に対する腫瘍の割合に応じて、術式の判断がなされる。術式の判断とは、骨の切除を行うかの判断、あるいは放射線治療を行うかの判断等である。
【０００９】
上述のように、被検体の特定の部位（病変部等）の状態の把握を支援するため、当該部位を造影剤によって強調した画像を表示することが行われている。ただし、被検体の部位に対する造影剤の流入領域を、画像の閲覧者が把握しやすくする必要がある。また、被検体の特定の部位とその部位に対する造影剤の流入領域との対比が、医師によって円滑に行いうるようにする必要がある。
【００１０】
この点、従来のＸ線ＣＴ装置は、被検体の関心領域の造影画像を表示するものである。このようなＸ線ＣＴ装置において、スキャンする被検体の部位によっては、造影剤の流入領域が閲覧しがたい場合がある。例えば、造影剤の流入領域の周囲の構造物により、当該流入領域が見えにくくなる場合がある。また、造影剤の流入領域と重なって描画される構造物により当該領域が見えにくくなる場合がある。また、スキャンする被検体の部位によっては、被検体の部位と、その部位に対する造影剤の流入領域との対比が困難な場合がある。すなわち、従来のＸ線ＣＴ装置においては、医師等による画像診断の支援を適切に行うことが困難な場合があった。
【００１１】
本実施形態は、造影の流入領域、およびその領域と周囲の領域との関係を円滑に把握することが可能なＸ線ＣＴ装置を提供することを目的とする。
【課題を解決するための手段】
【００１２】
実施形態のＸ線ＣＴ装置は、収集部と、記憶部と、制御部と、画像生成部と、合成部と、算出部と、表示部と、を有する。収集部は、被検体をＸ線でスキャンしてデータを反復的に収集する。記憶部は、前記被検体の注目部位を含む所定範囲を表す基準画像をあらかじめ記憶する。制御部は、前記収集部を制御することにより、造影剤が投与された前記被検体の前記所定範囲に対しスキャンを実行させる。画像生成部は、前記スキャンにより反復的に収集されたデータに基づいて、前記被検体の造影画像を順次生成し、順次生成された前記造影画像と前記基準画像との差分処理に基づいて、前記造影画像が撮影された各時相におけるサブトラクション画像を生成する。合成部は、前記基準画像における前記注目部位を表す注目部分と、各時相について生成された前記サブトラクション画像の画素値に基づいて前記所定範囲内に流入された造影剤部分を表す造影部分とを特定し、前記基準画像における前記注目部分以外の部分の透明度を上げ、前記基準画像における前記造影部分との重畳部分の透明度を上げ、前記基準画像及び前記サブトラクション画像を合成した合成画像を生成する。算出部は、各時相について生成された前記サブトラクション画像それぞれにおいて特定された前記造影部分に基づいて前記造影部分の面積又は体積を求め、前記造影部分の面積又は体積の経時変化を示す情報を取得する。表示部は、前記経時変化を示す情報及び前記合成画像を表示する。
【図面の簡単な説明】
【００１３】
【図１】第１実施形態にかかるＸ線ＣＴ装置のブロック図である。
【図２Ａ】第１実施形態にかかる基準画像を概念的に示す図である。
【図２Ｂ】第１実施形態にかかる造影画像を概念的に示す図である。
【図２Ｃ】第１実施形態にかかるサブトラクション画像を概念的に示す図である。
【図２Ｄ】第１実施形態にかかる合成画像を概念的に示す図である。
【図３】第１実施形態にかかるＸ線ＣＴ装置の動作の概要を示すフローチャートである。
【図４】第１実施形態にかかるＸ線ＣＴ装置の動作の概要を示すフローチャートである。
【図５】第２実施形態にかかるＸ線ＣＴ装置のブロック図である。
【図６】第２実施形態にかかるＸ線ＣＴ装置の動作の概要を示すフローチャートである。
【図７】第３実施形態にかかるＸ線ＣＴ装置の動作の概要を示すフローチャートである。
【図８】第４実施形態にかかるＸ線ＣＴ装置の動作の概要を示すフローチャートである。
【図９】第６実施形態の変形例にかかるＸ線ＣＴ装置のブロック図である。
【図１０】第７実施形態にかかるＸ線ＣＴ装置の動作の概要を示すフローチャートである。
【図１１】第９実施形態にかかるＸ線ＣＴ装置の動作の概要を示すフローチャートである。
【図１２Ａ】第１２実施形態における第２サブトラクション画像データの変化の概要を示す図である。
【図１２Ｂ】第１２実施形態における第２サブトラクション画像データの変化の概要を示す図である。
【図１２Ｃ】第１２実施形態における第２サブトラクション画像データの変化の概要を示す図である。
【図１３】第１２実施形態にかかるＸ線ＣＴ装置の動作の概要を示すフローチャートである。
【図１４】第１２実施形態の変形例にかかるＸ線ＣＴ装置の動作の概要を示すフローチャートである。
【図１５】第１３実施形態にかかるＸ線ＣＴ装置の動作の概要を示すフローチャートである。
【図１６】第１３実施形態の変形例にかかるＸ線ＣＴ装置の動作の概要を示すフローチャートである。
【発明を実施するための形態】
【００１４】
以下、実施形態にかかるＸ線ＣＴ装置につき、図１〜図１６を参照して説明する。
【００１５】
［第１実施形態］
図１〜図４を参照して、第１実施形態におけるＸ線ＣＴ装置１の構成について説明する。図１は、第１実施形態にかかるＸ線ＣＴ装置のブロック図である。なお、「画像」と「画像データ」は一対一に対応するので、本実施形態においては、これらを同一視する場合がある。
【００１６】
（装置構成）
図１に示すように、Ｘ線ＣＴ装置１は、架台装置１０と、寝台装置２０と、コンソール装置３０とを含んで構成されている。
【００１７】
（架台装置）
架台装置１０は、被検体Ｅに対してＸ線を曝射し、被検体Ｅを透過した当該Ｘ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１８】
Ｘ線発生部１１は、Ｘ線を発生させるＸ線管球（例えば、円錐状や角錐状のビームを発生する真空管。図示なし）を含んで構成されている。発生したＸ線は被検体Ｅに対して曝射される。Ｘ線検出部１２は、複数のＸ線検出素子（図示なし）を含んで構成されている。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。Ｘ線検出部１２は、例えば、検出素子が互いに直交する２方向（スライス方向とチャンネル方向）にそれぞれ複数配置された２次元のＸ線検出器（面検出器）が用いられる。複数のＸ線検出素子は、例えば、スライス方向に沿って３２０列設けられている。このように多列のＸ線検出器を用いることにより、１回転のスキャンでスライス方向に幅を有する３次元の撮影領域を撮影することができる（ボリュームスキャン）。なお、スライス方向は被検体Ｅの体軸方向に相当し、チャンネル方向はＸ線発生部１１の回転方向に相当する。ただし、本実施形態におけるＸ線検出部１２として、上述のような多列のＸ線検出器を用いる必要はない。
【００１９】
回転体１３は、Ｘ線発生部１１とＸ線検出部１２とを被検体Ｅを挟んで対向するよう支持する部材である。回転体１３は、スライス方向に貫通した開口部１３ａを有する。架台装置１０内において、回転体１３は、被検体Ｅを中心とした円軌道で回転するよう配置されている。
【００２０】
高電圧発生部１４は、Ｘ線発生部１１に対して高電圧を印加する。Ｘ線発生部１１は、当該高電圧に基づいてＸ線を発生させる。架台駆動部１５は、回転体１３を回転駆動させる。Ｘ線絞り部１６は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。絞り駆動部１７は、Ｘ線発生部１１で発生したＸ線が所定の形状となるようＸ線絞り部１６を駆動させる。
【００２１】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。また、データ収集部１８は、収集した検出データ（電流信号）を電圧信号に変換し、この電圧信号を周期的に積分して増幅し、デジタル信号に変換する。そして、データ収集部１８は、デジタル信号に変換された検出データをコンソール装置３０（処理部３５（後述））に送信する。なお、データ収集部１８で収集された検出データに基づき、再構成処理部３５ｂ（後述）が短時間で再構成処理を行い、リアルタイムにＣＴ画像を取得するように構成してもよい。したがって、データ収集部１８は、検出データの収集レートを短くする。
【００２２】
（寝台装置）
寝台装置２０は、撮影対象の被検体Ｅを載置・移動させる装置である。寝台装置２０は、寝台装置３０と寝台駆動部２２とを備えている。寝台装置３０は、被検体Ｅを載置するための寝台天板２３と、寝台天板２３を支持する基台２４とを備えている。寝台天板２３は、寝台駆動部２２によって被検体Ｅの体軸方向および体軸方向に直交する方向に移動することが可能となっている。すなわち、寝台駆動部２２は、被検体Ｅが載置された寝台天板２３を、回転体１３の開口部１３ａに対して挿抜させることができる。基台２４は、寝台駆動部２２によって寝台天板２３を上下方向（被検体Ｅの体軸方向と直交する方向）に移動させることが可能となっている。なお、寝台装置２０において寝台天板２３を含まない構成を用いることも可能である。すなわち、寝台装置２０に対して架台装置１０を移動させる構成も本実施形態のＸ線ＣＴ装置に含まれる。
【００２３】
（コンソール装置）
コンソール装置３０は、Ｘ線ＣＴ装置１に対する操作入力に用いられる。また、コンソール装置３０は、架台装置１０によって収集された検出データから被検体Ｅの内部形態を表すＣＴ画像データ（断層画像データやボリュームデータ）を再構成する機能等を有している。コンソール装置３０は、入力部３１と、表示部３２と、条件設定部３３と、スキャン制御部３４と、処理部３５と、記憶部３６と、表示制御部３７と、主制御部３８とを含んで構成されている。
【００２４】
＜入力部＞
入力部３１は、コンソール装置３０に対する各種操作を行う入力デバイスとして用いられる。入力部３１は、例えばキーボード、マウス、トラックボール、ジョイスティック等により構成される。また、入力部３１として、表示部３２に表示されたＧＵＩ（Ｇｒａｐｈｉｃａｌ  Ｕｓｅｒ  Ｉｎｔｅｒｆａｃｅ）を用いることも可能である。
【００２５】
入力部３１により、Ｘ線ＣＴ装置１のユーザ（操作者）による任意の操作および各種入力を行うことが可能である。例えば、入力部３１は、架台装置１０によるスキャンに関する任意の操作に用いられる。このスキャンに関する任意の操作には、リアルプレップスキャン、本スキャンの開始および停止の指示操作が含まれる。また、入力部３１はスキャン条件の設定操作などのＸ線ＣＴ装置１で使用する各種パラメータの設定操作に用いられる。また、入力部３１は再構成処理部３５ｂによる再構成処理に用いられる各種パラメータの設定操作に用いられる。また、入力部３１は、Ｘ線ＣＴ画像のウインドウレベル（ＷＬ／Ｗｉｎｄｏｗ  Ｌｅｖｅｌ）、ウインドウ幅（ＷＷ／Ｗｉｎｄｏｗ  Ｗｉｄｔｈ）の設定に用いられる。また、入力部３１は寝台天板２３の手動操作や被検体への呼吸指示の音声出力操作等に用いられる。また、入力部３１はＸ線ＣＴ装置１における全体のメンテナンス等に用いられる。また、入力部３１は、造影剤注入器（インジェクタ）の制御パラメータの設定に用いられてもよい。
【００２６】
また、入力部３１は、Ｘ線ＣＴ画像において被検体内の構造物（骨、臓器、人工物等）を特定するための所定値αおよび所定値βの設定に用いられる。入力部３１により入力された所定値αおよび所定値βは、主制御部３８を介して処理部３５に送られ、算出部３５ｄに記憶される。詳細については後述する。
【００２７】
＜表示部＞
表示部３２は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の表示デバイスによって構成される。表示部３２には、各種Ｘ線ＣＴ画像が表示される。例えば、表示部３２の表示画面には、断層画像やボリュームレンダリング画像、ＭＰＲ画像等が表示される。また、表示部３２には、ＭＰＲ画像に対応するビューイングボックスを表示してもよい。
【００２８】
また、表示部３２はスキャン条件の設定画面（図示なし）を表示する。また、表示部３２は架台装置１０によるスキャンにかかる操作画面を表示する。また、表示部３２は再構成処理に用いられる各種パラメータの設定画面を表示する。また、表示部３２はウインドウレベル、ウインドウ幅の設定画面を表示する。また、入力部３１によって造影剤注入器の制御パラメータの設定がなされる構成においては、表示部３２がその設定画面を表示するように構成してもよい。
【００２９】
また入力部３１の少なくとも一部がＧＵＩによって構成される場合は、そのＧＵＩを表示する。例えば、表示部３２は、スキャン条件、再構成処理、画像処理等のパラメータの設定画面をＧＵＩとして表示する。また、表示部３２は架台・寝台の動作などの操作画面をＧＵＩとして表示する。また、表示部３２は造影画像、非造影画像またはサブトラクション画像等において範囲指定を行う操作画面をＧＵＩとして表示する。
【００３０】
＜制御部＞
条件設定部３３、スキャン制御部３４、処理部３５、表示制御部３７および主制御部３８は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの図示しない処理装置と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）や、又はＨＤＤ（Ｈａｒｄ  Ｄｉｓｃ  Ｄｒｉｖｅ）などの図示しない記憶装置とによって構成されている。記憶装置には、各部の機能を実行するための制御プログラムが記憶されている。ＣＰＵなどの処理装置が、記憶装置に記憶されている各プログラムを実行することで各部の機能を実行する。
【００３１】
＜条件設定部＞
条件設定部３３は、例えば入力部３１によって入力された、スキャン条件、再構成条件、ウインドウレベル、ウインドウ幅の各種パラメータを記憶する。また、条件設定部３３は、上記各種条件の設定画面の画面データ等を記憶する。スキャン条件としては、Ｘ線照射条件、視野（Ｆｉｅｌｄ  ｏｆ  Ｖｉｅｗ：ＦＯＶ）、撮影（スキャン）範囲、スキャンモード、スライス厚等が含まれる。
【００３２】
Ｘ線照射条件には、照射されるＸ線にかかるパラメータが含まれる。このパラメータは、例えば、照射Ｘ線に関する、管電流ｍＡ、管電圧ｋＶ、Ｘ線管（回転体１３）の回転速度、スキャン間隔等が含まれる。視野に関するパラメータには、架台駆動部１５が制御するＸ線絞り部１６の動作に関する制御パラメータが含まれる。再構成条件には、再構成関数、再構成間隔等が含まれる。スキャンモードとしては、例えばスキャン方式（コンベンショナルスキャン、ヘリカルスキャン等）が挙げられる。ヘリカルスキャンの場合はヘリカルピッチが含まれ、例えば寝台駆動部２２による寝台天板２３の動作に関する条件（動作速度、移動量等）等である。
【００３３】
＜スキャン制御部＞
スキャン制御部３４は、Ｘ線スキャンに関する各種動作を制御する。スキャン制御部３４は、主制御部３８を介して入力部３１等から受けたスキャン開始の指示を受け、架台装置１０によるスキャンを開始する。つまり、条件設定部３３によってあらかじめ設定されたＸ線照射条件、視野、撮影範囲、スキャンモード、スライス厚によって、高電圧発生部１４、架台駆動部１５、絞り駆動部１７、寝台駆動部２２等を制御する。
【００３４】
例えば、スキャン制御部３４は、主制御部３８を介して条件設定部３３から受けたＸ撮影範囲に基づき、寝台駆動部２２を制御する。これにより、寝台駆動部２２は、所定の移動速度、および移動量にしたがって寝台装置２０を移動させる。また、スキャン制御部３４は条件設定部３３から受けたＸ線照射条件に基づき、高電圧発生部１４を制御する。これにより、高電圧発生部１４は、Ｘ線発生部１１に高電圧を印加させる等の制御を行う。
また、スキャン制御部３４は、条件設定部３３において設定されたＸ線管（回転体１３）の回転速度に基づき、架台駆動部１５を制御する。これにより、架台駆動部１５は、回転体１３を所定の速度で回転駆動させる。また、スキャン制御部３４は、条件設定部３３において設定された視野等に基づき絞り駆動部１７を制御する。これにより、絞り駆動部１７は、Ｘ線絞り部１６を動作させ、照射されるＸ線の範囲を制御する。また、スキャン制御部３４は、条件設定部３３において設定されたスキャンモードに基づき、寝台駆動部２２を制御する。これにより、寝台駆動部２２は、所定の移動速度、および移動量にしたがって寝台装置２０を移動させる。
【００３５】
＜処理部＞
処理部３５は、架台装置１０（データ収集部１８）から送信された検出データに対して各種処理を実行する。処理部３５は、前処理部３５ａと、再構成処理部３５ｂと、画像生成部３５ｃと、算出部３５ｄと、合成部３５ｅとを含んで構成されている。
【００３６】
前処理部３５ａは、架台装置１０（Ｘ線検出部１２）で検出された検出データに対して対数変換処理、オフセット補正、感度補正、ビームハードニング補正等の前処理を行い、投影データを作成する。
【００３７】
再構成処理部３５ｂは、前処理部３５ａで作成された投影データの再構成処理を行う。この再構成処理は、主制御部３８を介して条件設定部３３から受けた再構成条件に基づき、行われる。断層画像データの再構成には、例えば、２次元フーリエ変換法、コンボリューション・バックプロジェクション法等、任意の方法を採用することができる。ボリュームデータは、再構成された複数の断層画像データを補間処理することにより作成される。ボリュームデータの再構成には、例えば、コーンビーム再構成法、マルチスライス再構成法、拡大再構成法等、任意の方法を採用することができる。上述のように多列のＸ線検出器を用いる場合は、ボリュームスキャンにより得られたデータに基づき、広範囲のボリュームデータを再構成することができる。
【００３８】
画像生成部３５ｃは、再構成処理部３５ｂで作成された断層画像データまたはボリュームデータに対する画像処理を行い、Ｘ線ＣＴ画像データを生成する。例えば、ボリュームデータについては、ＭＰＲ（Ｍｕｌｔｉ  Ｐｌａｎａｒ  Ｒｅｃｏｎｓｔｒｕｃｔｉｏｎ）や、サーフェスレンダリング（Ｓｕｒｆａｃｅ  Ｒｅｎｄｅｒｉｎｇ：ＳＲ，Ｓｈａｄｅｄ  Ｓｕｒｆａｃｅ  Ｄｉｓｐｌａｙ：ＳＳＤ）、ボリュームレンダリング（Ｖｏｌｕｍｅ  Ｒｅｎｄｅｒｉｎｇ：ＶＲ）、ＭＩＰ（Ｍａｘｉｍｕｍ  Ｉｎｔｅｎｓｉｔｙ  Ｐｒｅｊｅｃｔｉｏｎ）、ＭｉｎＩＰ（Ｍａｘｉｍｕｍ  Ｉｎｔｅｎｓｉｔｙ  Ｐｒｅｊｅｃｔｉｏｎ）等のレンダリング処理を行う。さらに画像生成部３５ｃは、断層画像データやボリュームデータに基づくＸ線ＣＴ画像データに対し、画像の鮮鋭化、ノイズの低減・抑制、Ｓ／Ｎ比の向上、輪郭の強調などの画像処理を行う。
【００３９】
上記のような処理を経て、画像生成部３５ｃは、Ｘ線ＣＴ画像データを生成する。Ｘ線ＣＴ画像データとしては、例えば、造影剤注入前の被検体内の状態を示す非造影画像データや、造影剤注入後の被検体の状態を示す造影画像データが該当する。また、他の例としては、被検体の撮影範囲の設定に用いる撮影準備のための画像データ（以下、「スキャノグラム」と記載することがある。）が該当する。また、非造影画像と造影画像のサブトラクション画像データ（差分画像データ）が該当する。
【００４０】
なお、非造影画像は「基準画像」の一例に該当する。ただし、基準画像の他の例としては造影剤注入後の画像も含まれる。以下において「非造影画像」と記載した場合、造影剤注入前の被検体の画像だけでなく、造影剤注入開始後の画像も含む場合がある。すなわち基準画像としては、被検体内の観察対象となる注目部位（骨等）を表す画像が該当する。また、観察対象となる注目部位とは、造影剤によって強調される部位の周囲の部位が該当する。
【００４１】
架台装置１０により造影剤注入前の被検体のスキャンが行われているとき、画像生成部３５ｃは、再構成処理部３５ｂから受けた断層画像データまたはボリュームデータに基づき、非造影画像データを生成する。また、架台装置１０により関心領域に造影剤が流入された後の被検体のスキャンが開始されると、画像生成部３５ｃは、再構成処理部３５ｂから受けた断層画像データまたはボリュームデータに基づき、造影画像データを生成する。なお、造影画像データは架台装置１０による反復的（連続的または断続的）なスキャンにより得られた収集データに基づく画像データである。また、非造影画像は、反復的なスキャンまたはシングルスキャンによって得られた収集データに基づく画像である。また、関心領域は、「注目部位を含む所定範囲」の一例に該当する。
【００４２】
スキャノグラムは、単一のＸ線投影角度によってスキャンされた被検体の断層画像データに基づく画像である。スキャノグラムは、表示部３２に表示される。ユーザはスキャノグラムに基づいて、リアルプレップスキャンのスキャン位置、本スキャンのスキャン位置を設定する場合がある。サブトラクション画像データは、画像生成部３５ｃが、基準画像（例えば非造影画像）と造影画像とのサブトラクション（差分）処理を行うことにより生成される。以下、画像生成部３５ｃにおけるサブトラクション処理について記載する。
【００４３】
画像生成部３５ｃは、造影画像の画像データと基準画像（例えば非造影画像）の画像データとのサブトラクション処理を行う。このサブトラクション処理について図２Ａ〜図２Ｄを参照して説明する。図２Ａは、第１実施形態にかかる基準画像を概念的に示す図である。図２Ｂは、第１実施形態にかかる造影画像を概念的に示す図である。図２Ｃは、第１実施形態にかかるサブトラクション画像を概念的に示す図である。図２Ｄは、第１実施形態にかかる合成画像を概念的に示す図である。
【００４４】
例えば、架台装置１０により関心領域に造影剤が流入された後の被検体のスキャンが開始されると、画像生成部３５ｃは、記憶部３６から基準画像データ（図２Ａ：非造影画像データ等）を読み出す。また、画像生成部３５ｃは、上述のように生成した造影画像データ（図２Ｂ）と、読み出した基準画像データとのサブトラクション処理を行う。画像生成部３５ｃは、例えば、１〜ｎスキャン目の造影画像のデータから、単一のスキャンにより収集された基準画像のデータをサブトラクション処理する。また、他の例として、画像生成部３５ｃは、１〜ｎスキャン目の造影画像のデータから、対応する間隔で収集された１〜ｎスキャン目の基準画像のデータをサブトラクション処理する。以下、前者の例において説明する。
【００４５】
例えば、画像生成部３５ｃは、１スキャン目の収集データに基づく造影画像（図２Ｂ）と、基準画像（図２Ａ）とを記憶部３６から読み出した上で、任意の方法によりサブトラクション処理を施す。画像生成部３５ｃは、２〜ｎスキャン目の収集データに基づく造影画像についても順次当該処理を繰り返す。その結果、１〜ｎ回のスキャンによる造影画像に対応したサブトラクション画像（図２Ｃ）を生成する。
【００４６】
また画像生成部３５ｃにより、生成した造影画像と、その前の時点（異なる時相）で生成された造影画像（「第２の造影画像」の一例）とのサブトラクション処理を実行させる構成とすることが可能である。例えば、画像生成部３５ｃは、直前（１回前）のスキャンによって生成した造影画像と現在生成した造影画像とをサブトラクション処理する。この例においてスキャンがｎ回行われるとした場合、画像生成部３５ｃは、２回目のスキャンによる造影画像と１回目のスキャンによる造影画像との間でサブトラクション処理を行う。さらに画像生成部３５ｃは、３回目のスキャンによる造影画像と２回目のスキャンによる造影画像との間でサブトラクション処理を行う。このように順次当該処理を繰り返し、ｎ回目のスキャンのスキャンによる造影画像とｎ−１回目のスキャンによる造影画像との間でサブトラクション処理を行う。
【００４７】
＜算出部＞
処理部３５における算出部３５ｄは、画像生成部３５ｃが生成したサブトラクション画像データを受ける。また、算出部３５ｄは、Ｘ線ＣＴ画像において造影剤を示す画素値（またはＣＴ値（ＨＵ：Ｈｏｕｎｓｆｉｅｌｄ  Ｕｎｉｔ）等）の所定値αをあらかじめ記憶している。また、算出部３５ｄは、Ｘ線ＣＴ画像における被検体内の構造物（骨、臓器、人工物等）それぞれを示す画素値（またはＣＴ値等）の所定値βをあらかじめ記憶している。また算出部３５ｄが記憶する所定値α、所定値β等は、所定の範囲を有するように設定されてもよい。
【００４８】
算出部３５ｄは、サブトラクション画像データにおいて、画素（ピクセル）ごとにおける各画素値と所定値αとを比較する。例えば、算出部３５ｄは、画像生成部３５ｃからサブトラクション画像データを受けると、当該データにおける画素ごとの画素値と所定値αとを比較することにより、所定値αに対応する画素値を有するかについて判断する。当該判断の結果、算出部３５ｄは、サブトラクション画像データの画素から、造影剤を示す画素値に対応する部分を特定することにより、造影剤が流入した範囲を特定する。なお、以下、においては、造影剤が流入した範囲について「造影剤の流入領域Ａ２」と記載することがある（図２Ａ参照）。さらに算出部３５ｄは、サブトラクション画像データにおける造影剤の流入領域Ａ２の位置情報を、サブトラクション画像データ（図２Ｃ）とともに合成部３５ｅに送る。この位置情報は、例えばサブトラクション画像データにおける造影剤を示す部分の座標位置の情報である。なお、造影剤の流入領域Ａ２は、「造影部分」の一例に該当する。
【００４９】
＜合成部＞
合成部３５ｅは、サブトラクション画像データにおいて造影剤の流入領域Ａ２を抽出して、基準画像データまたは造影画像データと合成することにより合成画像データ（図２Ｄ）を生成する。以下、基準画像データと造影剤の流入領域を表すデータとの合成画像データを生成する例について説明する。
【００５０】
合成部３５ｅは、架台装置１０により関心領域に造影剤が流入された後の被検体のスキャンが開始されると、合成部３５ｅは、記憶部３６から基準画像データを読み出す。また、算出部３５ｄから造影剤の流入領域の位置情報と共にサブトラクション画像データを受けると、位置情報に基づいて造影剤の流入領域を抽出する。合成部３５ｅは、ここで抽出された造影剤の流入領域の画像データと基準画像データとを合成する。
【００５１】
例えば合成部３５ｅ、は上記位置情報に基づいて、基準画像データにおける造影剤の流入領域（図２Ｂ・図２Ｃ参照）に対応する座標位置を特定する。さらに合成部３５ｅは、基準画像データにおいて特定した位置の各画素と、サブトラクション画像データにおける造影剤の流入領域の各画素との位置との対応付けをする。さらに合成部３５ｅは、基準画像データにおいて造影剤の流入領域に該当する位置の画素の画素値を造影剤の流入領域の画素値に置き換える。このようにして合成画像データが生成される。
さらに合成部３５ｅは、サブトラクション画像データについて表示態様を変更して基準画像データと合成することも可能である。表示態様の変更方法としては、サブトラクション画像データについて、合成対象の画像と異なる色を割り当てる方法が挙げられる。その他、サブトラクション画像データの部分を所定時間毎に反転表示させる、もしくは点滅して表示させる、特定の輝度（造影部分と識別できる輝度）を割り当てる等、任意の方法を用いることが可能である。
【００５２】
また合成処理の他の例として、合成部３５ｅは、各画像データをレイヤーとして累積的に合成し、合成比率を調整することにより合成画像データを生成してもよい。すなわち、まず合成部３５ｅは基準画像データ（図２Ａ）と造影画像データ（図２Ｂ）を重ね合わせる。さらに合成部３５ｅは、重ね合わせた画像データのうち、造影画像データにおける造影剤の流入領域Ａ２以外の部分（図２Ｂ・注目部位を示す領域Ａ１等）の合成比率を下げる。このような合成比率の変更により、合成画像における当該部分については、基準画像データの像（画素）が優先して表示される。
【００５３】
同様に、造影剤の流入領域Ａ２と重畳する基準画像の画素の部分については、基準画像データの方の合成比率を下げる。このような合成比率の変更により、合成画像における当該部分については造影画像データの像、すなわち、造影剤の流入領域が優先して表示される。なお、基準画像データと合成される画像は、サブトラクション画像データであってもよい。また、注目部位を示す領域Ａ１は、「注目部分」の一例に該当し、造影剤の流入領域Ａ２は、「造影部分」の一例に該当する。
【００５４】
合成比率の変更の具体例としては、例えば、透明度の調整が挙げられる。すなわち、造影画像データにおける造影剤の流入領域以外の部分（例：注目部位を示す領域Ａ１）の透明度を上げることにより、当該部分については、重ね合わせられた基準画像データの像（骨等）の視認性を高める。同様に基準画像データにおける、造影剤の流入領域Ａ２に該当する部分との重畳部分の透明度を上げることにより、重ね合わせられたサブトラクション画像データの造影剤の流入領域の視認性が高まる。透明度の調整は、例えば、あらかじめ設定されたパラメータに基づいて行うことが可能である。さらに操作者が入力部３１に基づいて当該透明度の調整を行う構成としてもよい。
【００５５】
合成部３５ｅは、合成比率の変更だけでなく、各画像について表示態様を変更することも可能である。表示態様の変更方法としては、サブトラクション画像データについて、合成対象の画像と異なる色を割り当てる方法が挙げられる。その他、サブトラクション画像データの部分を所定時間毎に反転表示させる、もしくは点滅して表示させる等、任意の方法を用いることが可能である。
【００５６】
画像生成部３５ｃは、合成部３５ｅによる造影剤の流入領域の合成処理の前に、画像の鮮鋭化、ノイズの低減・抑制、Ｓ／Ｎ比の向上、輪郭の強調などの画像処理を行なっている。しかしながらこのような構成に限らず、合成画像データに対して上記画像処理を行なってもよい。
【００５７】
合成画像においては、サブトラクション画像と基準画像との上記合成処理により、両画像に共通する被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。例えば、骨が撮像された合成画像において、骨に対する骨浸潤の状態を相対的に強調することが可能となる。その結果、病変部に対する処置（術式等）の判断を支援することが可能となる。上述のように画像生成部３５ｃが生成したＸ線ＣＴ画像データは、主制御部３８を介して記憶部３６に順次記憶される。
【００５８】
なお、上記実施形態においては、サブトラクション処理を再構成処理後のデータに基づいて行っている。しかしながら、これに限らず、再構成処理前の投影データに基づいてサブトラクション処理を行うように構成することも可能である。この場合、記憶部３６に記憶されるのは、非造影スキャンによって得られた投影データである。
【００５９】
＜記憶部、主制御部＞
記憶部３６は、ＲＡＭやＲＯＭ等の半導体記憶装置によって構成される。記憶部３６は、検出データや投影データ、あるいはＸ線ＣＴ画像データ等を記憶する。表示制御部３７は、画像表示に関する各種制御を行う。例えば、上述の各種Ｘ線ＣＴ画像データの表示指示に基づき、記憶部３６から当該画像データを受け、所定のフォーマットにより表示する。また、表示制御部３７は、上述した各種設定画面の画像データを受け、所定のフォーマットにより表示する。
【００６０】
主制御部３８は、架台装置１０、寝台装置２０およびコンソール装置３０の動作を制御することによって、Ｘ線ＣＴ装置１の全体制御を行う。例えば、主制御部３８は、スキャン制御部３４を制御することで、架台装置１０に対して予備スキャンおよびメインスキャンを実行させ、検出データを収集させる。また、主制御部３８は、処理部３５を制御することで、検出データに対する各種処理（前処理、再構成処理、ＭＰＲ処理等）を行わせる。あるいは、主制御部３８は、表示制御部３７を制御することで、記憶部３６に記憶された画像データ等に基づき、Ｘ線ＣＴ画像を表示部３２に表示させる。
【００６１】
（動作）
次に、図２Ａ〜図２Ｄ、図３および図４を参照して、本実施形態にかかるＸ線ＣＴ装置１の動作について説明する。図３は、第１実施形態にかかるＸ線ＣＴ装置１の動作の概要を示すフローチャートである。図４は、第１実施形態にかかるＸ線ＣＴ装置１の動作の概要を示すフローチャートである。ここでは、スキャノグラムの生成、リアルプレップスキャンを経て、本スキャンによる画像の生成までについて説明する。また、以下においては、サブトラクション処理を行うための基準画像として、非造影画像を用いる場合について説明する。
【００６２】
＜Ｓ０１＞
造影剤を用いたスキャンを開始するにあたり、Ｘ線ＣＴ装置１は、スキャノグラムを生成する。すなわち、あらかじめ設定されたスキャン条件に基づいてスキャン制御部３４が架台装置１０の高電圧発生部１４、架台駆動部１５、絞り駆動部１７および寝台駆動部２２等を制御してスキャノグラムの撮影をする。例えば、スキャン制御部３４は、寝台駆動部２２を制御して寝台天板２３と架台装置１０の位置を相対的に変位させ、結果的に被検体をスキャン位置へ移動させる。また、スキャン制御部３４は架台駆動部１５を制御し、回転体１３を移動させる。またスキャン制御部３４は、高電圧発生部１４を制御し、単一のＸ線投影角度によって被検体をスキャンする。データ収集部１８は被検体を透過したＸ線に基づいて検出データを収集する。この収集データは、コンソール装置３０に送られる。コンソール装置３０は、データ収集部１８から受けた収集データに基づいて、処理部３５によりスキャノグラムを生成させる。
【００６３】
なお、本実施形態におけるスキャン範囲設定画面はスキャノグラムに基づくものに限られない。したがって、スキャノグラムの生成工程が省略される場合がある。また、本スキャンに応じた非造影スキャンの際に収集する検出データに基づいてスキャノグラムを生成してもよく、その場合はスキャノグラム生成に関するスキャンと、基準画像を生成するためのスキャンとを兼ねて実行することも可能である。また、造影剤を用いたスキャンについて、以下、単に「造影スキャン」と記載することがある。
【００６４】
＜Ｓ０２＞
表示制御部３７は、スキャノグラムおよび条件設定部３３から受けた所定のフォーマットに基づいて、スキャン範囲設定画面を生成し、表示部３２に表示させる。
【００６５】
＜Ｓ０３＞
Ｓ０２で表示部３２に表示されたスキャン範囲設定画面上で、ユーザ等により入力部３１を介してリアルプレップスキャンおよび本スキャンのスキャン範囲が設定される。このようにスキャン範囲設定画面上で、各スキャン範囲（例えば、ＲＯＩ：Ｒｅｇｉｏｎ  ｏｆ  Ｉｎｔｅｒｅｓｔ）が設定されると、表示制御部３７から主制御部３８を介して条件設定部３３に当該スキャン範囲を記憶させる。
【００６６】
＜Ｓ０４＞
設定されたスキャン条件に基づいてスキャン制御部３４が架台装置１０の高電圧発生部１４、架台駆動部１５、絞り駆動部１７および寝台駆動部２２等を制御して、基準画像としての非造影画像を生成するためのスキャンをする。図２Ａに示すような非造影画像は、本スキャンと同様のスキャン条件の下で生成される。ただし、非造影画像はリアルプレップスキャンや本スキャンと異なり、反復的でなく単一スキャンに基づいて生成される場合がある。また、このＳ０４における非造影画像のスキャンは、次の造影剤注入（Ｓ０５）の工程からリアルプレップスキャンの開始工程（Ｓ０６）までの間に行われる場合がある。
【００６７】
＜Ｓ０５＞
コンソール装置３０の入力部３１またはその他の操作部が操作されることにより、造影剤注入器から被検体へ造影剤が注入される。なお、Ｓ０４における非造影画像を生成するためのスキャンを、Ｓ０５からＳ０６までに行う場合、パフュージョン解析を行ってもよい
【００６８】
＜Ｓ０６＞
コンソール装置３０の入力部３１を介してリアルプレップスキャンの開始指示がなされると、スキャン制御部３４に制御されて架台装置１０によるリアルプレップスキャンが開始される。
【００６９】
＜Ｓ０７＞
主制御部３８は、所定の条件を満たしているか判断する。主制御部３８は、所定の条件を満たすことにより、本スキャンへ移行するトリガーをスキャン制御部３４に出力する。例えば、主制御部３８は、被検体に注入された造影剤の濃度の変化曲線を監視しており、当該濃度があらかじめ設定された閾値に達すると、トリガーをスキャン制御部３４に出力する。あるいは、主制御部３８が、入力部３１による操作に従って本スキャンへの移行のトリガーを出力してもよい。所定の条件を満たすまでは（Ｓ０７；Ｎｏ）、Ｓ０６からＳ０７の工程を繰り返す。
【００７０】
＜Ｓ０８＞
所定の条件が満たされると（Ｓ０７；Ｙｅｓ）、スキャン制御部３４に制御されて、本スキャンが開始される。本スキャンにおいては、撮影条件が変更される。例えば、Ｘ線照射に関する管電流ｍＡや照射間隔（Ｘ線発生部１１の動作）、照射範囲（Ｘ線絞り部１６の絞り範囲）等が変更される。
【００７１】
＜Ｓ０９＞
処理部３５は、本スキャンによりコンソール装置３０が受けた収集データに基づき、図２Ｂに示すような造影画像データを生成する。
【００７２】
＜Ｓ１０＞
処理部３５はＳ０９で造影画像データを生成すると、記憶部３６から、図２Ａに示すような非造影画像データを読みだす。画像生成部３５ｃは、非造影画像データと造影画像データとのサブトラクション処理を実行する。このサブトラクション処理によって、図２Ｃに示すようなサブトラクション画像データが生成される。サブトラクション画像データは、算出部３５ｄに送られる。
【００７３】
＜Ｓ１１＞
算出部３５ｄは、画像生成部３５ｃが生成したサブトラクション画像データを受ける。また、算出部３５ｄは、あらかじめ記憶している所定値αとサブトラクション画像データの各画素値を比較する。比較の結果、算出部３５ｄは、サブトラクション画像の画素から、造影剤の流入領域Ａ２（図２Ｃ）を特定する。
【００７４】
＜Ｓ１２＞
合成部３５ｅは、算出部３５ｄから造影剤の流入領域Ａ２の位置情報と共にサブトラクション画像データを受けると、位置情報に基づいてサブトラクション画像データから造影剤の流入領域Ａ２を抽出する。
【００７５】
＜Ｓ１３＞
合成部３５ｅは、記憶部３６から読み出した非造影画像データと抽出した造影剤の流入領域Ａ２との合成画像（図２Ｄ）を生成する。
【００７６】
＜Ｓ１４＞
架台装置１０の主制御部３８は、入力部３１を介した本スキャンの終了指示があったかを判断する。主制御部３８は、当該指示が未だ入力されていない時点では（Ｓ１４；Ｎｏ）、上記Ｓ０９〜Ｓ１４の工程を繰り返す。つまり、Ｘ線ＣＴ装置１はスキャンを継続する。これに対し主制御部３８は、本スキャンの終了指示があったと判断すると（Ｓ１４；Ｙｅｓ）、スキャンを終了する。
【００７７】
（作用効果）
上述した第１実施形態にかかるＸ線ＣＴ装置１の作用および効果について説明する。
【００７８】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【００７９】
[変形例]
次に、第１実施形態にかかるＸ線ＣＴ装置１の変形例について説明する。第１実施形態にかかるＸ線ＣＴ装置１では、算出部３５ｄがサブトラクション画像における造影剤の流入領域を特定し、合成部３５ｅが造影剤の流入領域を抽出し、基準画像（または造影画像）と合成する。しかしながら、このような構成に限られない。例えば、架台装置１０におけるスキャンがボリュームスキャンである場合、再構成処理部３５ｂは、基準ボリュームデータおよび造影ボリュームデータを生成する。
【００８０】
基準ボリュームデータとは、造影剤注入前のスキャンによって取得されたボリュームデータ、および造影剤注入開始後のスキャンによって取得されたボリュームデータが該当する。また基準ボリュームデータには、被検体内の観察対象となる注目部位（骨等）が含まれる。また、観察対象となる注目部位としては、造影剤によって強調される部位の周囲の部位、もしくは当該強調される部位を含む周囲の部位が該当する。画像生成部３５ｃは、これら基準ボリュームデータおよび造影ボリュームデータをサブトラクション処理する。算出部３５ｄは、所定値αに基づいてサブトラクション処理されたボリュームデータから３次元的な造影剤の流入領域を特定する。なお、基準ボリュームデータは「基準画像」の一例に該当する。
【００８１】
画像生成部３５ｃは、入力部３１等から合成画像の生成指示を受けると、例えば非造影のボリュームデータを記憶部３６等から読み出す。例えば合成画像としてオブリーク像を生成しようとする場合、まず上記サブトラクション処理されたボリュームデータから指定された断面の像を生成し、さらに上記特定した位置情報に基づき、造影剤の流入領域を抽出する。その上で非造影のボリュームデータから同じ断面の非造影のオブリーク像を生成する。合成部３５ｅは、当該非造影のオブリーク像と造影剤の流入領域との合成画像を生成する。
【００８２】
また、他の例として、上記説明においてはサブトラクション画像における造影剤の流入領域を基準画像データと合成しているが、当該造影剤の流入領域を造影画像データと合成してもよい。
【００８３】
上述の変形例においても第１実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。
【００８４】
［第２実施形態］
次に、第２実施形態にかかるＸ線ＣＴ装置１について図５および図６を参照して説明する。図５は、第２実施形態にかかるＸ線ＣＴ装置１のブロック図である。第２実施形態においては、第１実施形態と比較して、画像生成部３５ｃ、算出部３５ｄおよび合成部３５ｅの処理等が異なる。またこれらの相違に応じた各部の動作や処理内容も異なる場合がある。その他の部分は第１実施形態にかかるＸ線ＣＴ装置１と同様である。以下、第１実施形態との相違点を中心に説明する。
【００８５】
（概要）
第１実施形態と同様に、第２実施形態にかかるＸ線ＣＴ装置１においても、コンソール装置３０の各種制御部により架台装置１０を駆動し、サブトラクション画像（図２Ｃ）を生成する。ただし、第２実施形態において、算出部３５ｄは、サブトラクション画像データから造影剤の流入領域を特定するのではなく、非造影画像等の基準画像データから関心領域内の注目部位を示す領域Ａ１を特定する。注目部位としては、Ｘ線ＣＴ画像において造影しようとする領域を含む被検体内の構造物（骨、臓器等）が該当する。例えば、骨浸潤の検査においては、骨が注目部位にあたり、骨浸潤野部分が、造影剤の流入領域Ａ２にあたる。なお、以下においては、実際の被検体内の構造物を「注目部位」と記載し、Ｘ線ＣＴ画像における被検体内の構造物を示す画素および画素群を、当該注目部位と区別して、「注目部分」と記載することがある。
【００８６】
＜画像生成部＞
画像生成部３５ｃは、第１実施形態と同様に、再構成処理部３５ｂで作成された断層画像データまたはボリュームデータに対する画像処理を行い、非造影画像等の基準画像データ、造影画像データ、サブトラクション画像データ等のＸ線ＣＴ画像データを生成する。さらに画像生成部３５ｃは、断層画像データやボリュームデータに基づくＸ線ＣＴ画像データに対し、画像処理を行う。画像生成部３５ｃは、基準画像データを生成すると、主制御部３８を介して記憶部３６に記憶させる。また図５に示すように、画像生成部３５ｃは、サブトラクション画像データを合成部３５ｅに送る。
＜算出部＞
算出部３５ｄは、記憶部３６に記憶された基準画像データを読み出す。また、算出部３５ｄは、Ｘ線ＣＴ画像における被検体内の構造物（骨、臓器等）、すなわち、注目部位を表す画素値（またはＣＴ値）の所定値βをあらかじめ記憶している。この所定値βは、所定の範囲を有していてもよい。
【００８７】
算出部３５ｄは、基準画像データにおいて、画素（ピクセル）ごとにおける各画素値と所定値βとを比較する。例えば、算出部３５ｄは、記憶部３６から基準画像データを読み出す。また算出部３５ｄは、当該データにおける画素ごとの画素値と所定値βとを比較する。この比較により、算出部３５ｄは、基準画像データにおける各画素が、所定値βに対応する画素値を有するかについて判断する。当該判断の結果、算出部３５ｄは、基準画像の各画素から、注目部位を示す画素値に対応する部分を特定することにより、注目部分（例：注目部位を示す領域Ａ１）を特定する。さらに算出部３５ｄは、基準画像データにおける注目部分の位置情報を、基準画像データとともに合成部３５ｅに送る。この位置情報は、例えば基準画像データにおける注目部分の座標位置の情報である。
【００８８】
また算出部３５ｄは、第１実施形態と同様に、サブトラクション画像データにおいて、画素ごとにおける各画素値と所定値αとを比較することにより、造影剤が流入した範囲を特定する。さらに算出部３５ｄは、サブトラクション画像データにおける造影剤の流入領域の位置情報を、サブトラクション画像データとともに合成部３５ｅに送る。
【００８９】
＜合成部＞
合成部３５ｅは、基準画像データにおいて注目部位を抽出して、サブトラクション画像データまたは造影画像データと合成することにより合成画像データを生成する。以下、サブトラクション画像データと注目部位を表すデータとの合成画像データを生成する例について説明する。
【００９０】
合成部３５ｅは、架台装置１０により関心領域に造影剤が流入された後の被検体のスキャンが開始されると、合成部３５ｅは、画像生成部３５ｃからサブトラクション画像データを受ける。また、算出部３５ｄから注目部分の位置情報と共に基準画像データを受けると、位置情報に基づいて注目部分を抽出する。合成部３５ｅは、ここで抽出された注目部分の画像データとサブトラクション画像データとを合成する。
【００９１】
例えば合成部３５ｅは、上記位置情報に基づいて、サブトラクション画像データにおける注目部分に対応する座標位置を特定する。さらに合成部３５ｅは、サブトラクション画像データにおいて上記特定した位置の各画素（例：造影剤の流入領域Ａ２・図２Ｃ）と、基準画像データにおける注目部分の各画素（例：注目部位を示す領域Ａ１・図２Ａ）との位置との対応付けをする。さらに合成部３５ｅは、サブトラクション画像データにおいて注目部分に該当する位置の画素の画素値を注目部分の画素値に置き換える。このようにして合成画像データが生成される。
【００９２】
また合成処理の他の例として、合成部３５ｅは、各画像データをレイヤーとして累積的に合成し、合成比率を調整することにより合成画像データを生成してもよい。すなわち、まず合成部３５ｅは、サブトラクション画像データと、非造影画像等の基準画像データとを重ね合わせる。さらに合成部３５ｅは、位置情報を基準として、重ね合わせた画像データのうち、基準画像データにおける注目部分以外の部分の合成比率を下げる。基準画像を示す図２Ａの例であれば、注目部分を示す領域Ａ１以外の部分の合成比率を下げる。さらに、基準画像データにおいて、造影剤の流入領域Ａ２と重畳する画素の部分については、基準画像データの方の合成比率を下げる。
【００９３】
このような合成比率の変更により、合成画像においては、注目部分（骨等）の部分について基準画像データの像（画素／例えば骨の像）が優先して表示される。また、合成画像においては、注目部分と造影部分との重畳部分についてサブトラクション画像データの像が優先して表示される。例えば合成画像では、図２Ｄに示すようにサブトラクション画像データにおける造影部分（図２Ｄ・Ａ２）および注目部分以外の部分が優先して表示される。
【００９４】
同様に、注目部分と重畳するサブトラクション画像データの画素の部分については、サブトラクション画像データの方の合成比率を下げる。このような合成比率の変更により、合成画像における当該部分については基準画像データの像、すなわち、造影部分（図２Ｄ・Ａ２）を除いた注目部分（図２Ｄ・Ａ１）が優先して表示される。
【００９５】
合成比率の変更の具体例としては、例えば、透明度の調整が挙げられる。すなわち、基準画像データにおける注目部分（図２Ｄ・Ａ１）以外の部分の透明度を上げることにより、当該部分については、重ね合わせられたサブトラクション画像データの像（造影剤の流入領域Ａ２等）の視認性を高める。同様にサブトラクション画像データにおける造影部分（図２Ｄ・Ａ２）以外の部分の透明度を上げることにより、重ね合わせられた基準画像データの注目部位（図２Ｄ・Ａ１）の視認性が高まる。透明度の調整は、例えば、あらかじめ設定されたパラメータに基づいて行うことが可能である。さらに操作者が入力部３１に基づいて当該透明度の調整を行う構成としてもよい。
【００９６】
画像生成部３５ｃは、合成部３５ｅによる注目部分の合成処理の前に、画像の鮮鋭化、ノイズの低減・抑制、Ｓ／Ｎ比の向上、輪郭の強調などの画像処理を行なっている。しかしながらこのような構成に限らず、合成画像データに対して上記画像処理を行なってもよい。
【００９７】
なお、所定値βの設定値は、被検体内の構造物、例えば、骨、臓器等の種別ごとに設定される。例えば、表示部３２に所定値βの設定画面を表示し、ユーザが入力部３１により任意の設定値を入力する構成であってもよい。また、記憶部３６があらかじめ、当該構造物の種別ごとに所定値β（β１、β２・・・）を記憶しておき、ユーザが入力部３１により選択する構成であってもよい。この場合、表示部３２に被検体内の構造物の選択画面を表示させてもよい。
【００９８】
（動作）
次に、図６を参照して、本実施形態にかかるＸ線ＣＴ装置１の動作について説明する。図６は、第２実施形態にかかるＸ線ＣＴ装置１の動作の概要を示すフローチャートである。なお、本スキャンへの移行までの処理は第１実施形態（図３：Ｓ０１〜Ｓ０７）と同様であるため説明を割愛し、ここでは、画像生成部３５ｃ、算出部３５ｄおよび合成部３５ｅの動作ならびにそれらの動作に基づく制御について主に説明する。また、以下においては、サブトラクション処理を行うための基準画像として、非造影画像を用いる場合について説明する。
【００９９】
＜Ｓ２１＞
主制御部３８が所定のトリガーを受けると、スキャン制御部３４に本スキャンの制御を行わせる。本スキャンにおいては、撮影条件が変更される。例えば、Ｘ線照射に関する管電流ｍＡや照射間隔（Ｘ線発生部１１の動作）、照射範囲（Ｘ線絞り部１６の絞り範囲）等が変更される。
【０１００】
＜Ｓ２２＞
処理部３５は、本スキャンによりコンソール装置３０が受けた収集データに基づき、造影画像データを生成する。
【０１０１】
＜Ｓ２３＞
処理部３５はＳ２２で造影画像データを生成すると、記憶部３６から本スキャンに応じた非造影画像データ（図２Ａ）を読み出す。画像生成部３５ｃは、非造影画像データと造影画像データ（図２Ｂ）とのサブトラクション処理を実行する。このサブトラクション処理によって、図２Ｃに示すようなサブトラクション画像データが生成される。サブトラクション画像データは、合成部３５ｅに送られる。
【０１０２】
＜Ｓ２４＞
算出部３５ｄは、記憶部３６または画像生成部３５ｃから非造影画像データを読み出す。また、算出部３５ｄは、あらかじめ記憶している所定値βと非造影画像データの各画素値を比較する。比較の結果、算出部３５ｄは、非造影画像データから、骨などの注目部位を表す注目部分（例：注目部位を示す領域Ａ１）を特定する。
【０１０３】
＜Ｓ２５＞
合成部３５ｅは、算出部３５ｄから注目部分の位置情報と共に非造影画像データを受けると、位置情報に基づいて注目部分を抽出する。
【０１０４】
＜Ｓ２６＞
合成部３５ｅは、画像生成部３５ｃから受けたサブトラクション画像データと抽出した注目部分との合成画像（図２Ｄ）を生成する。
【０１０５】
＜Ｓ２７＞
架台装置１０の主制御部３８は、入力部３１を介した本スキャンの終了指示があったかを判断する。主制御部３８は、当該指示が未だ入力されていない時点では（Ｓ２７；Ｎｏ）、上記Ｓ２２〜Ｓ２７の工程を繰り返す。つまり、Ｘ線ＣＴ装置１はスキャンを継続する。これに対し主制御部３８は、本スキャンの終了指示があったと判断すると（Ｓ２７；Ｙｅｓ）、スキャンを終了する。
【０１０６】
（作用効果）
上述の第２実施形態にかかるＸ線ＣＴ装置１の作用および効果について説明する。
【０１０７】
本実施形態におけるＸ線ＣＴ装置１は、基準画像から注目部分を抽出してサブトラクション画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０１０８】
[変形例]
次に、第２実施形態にかかるＸ線ＣＴ装置１の変形例について説明する。第１実施形態の変形例と同様に、第２実施形態にかかるＸ線ＣＴ装置１においても、画像生成部３５ｃが、基準ボリュームデータおよび造影ボリュームデータをサブトラクション処理してもよい。さらに算出部３５ｄは、所定値βに基づいて基準ボリュームデータを記憶部３６から読出し、当該ボリュームデータから３次元的な注目部分の領域を特定する。なお、基準ボリュームデータについては第１実施形態の変形例において説明した内容と同様であるため、説明を割愛する。
【０１０９】
画像生成部３５ｃは、入力部３１等から合成画像の生成指示を受けると、基準ボリュームデータを記憶部３６等から読み出す。例えば合成画像がオブリーク像である場合、まず上記基準ボリュームデータから指定された断面の像を生成し、さらに上記特定した位置情報に基づき、注目部分（例：注目部位を示す領域Ａ１・図２Ａ）を抽出する。その上でサブトラクション処理されたボリュームデータから同じ断面のオブリーク像を生成する。合成部３５ｅは、当該サブトラクション処理されたボリュームデータと、注目部分との合成画像を生成する。
【０１１０】
また、他の例として、上記説明においてはサブトラクション画像における造影剤の流入領域を基準画像データと合成しているが、当該造影剤の流入領域を造影画像データと合成してもよい。
【０１１１】
これらの変形例においても第２実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。
【０１１２】
［第３実施形態］
次に、第３実施形態にかかるＸ線ＣＴ装置１について図７を参照して説明する。第３実施形態においては、第１実施形態と比較して、画像生成部３５ｃ、算出部３５ｄおよび合成部３５ｅの処理等が異なる。またこれらの相違に応じた各部の動作や処理内容も異なる場合がある。その他の部分は第１実施形態にかかるＸ線ＣＴ装置１と同様である。以下、第１実施形態との相違点を中心に説明する。
【０１１３】
（概要）
第１実施形態と同様に、第３実施形態にかかるＸ線ＣＴ装置１においても、コンソール装置３０の各種制御部により架台装置１０を駆動し、非造影画像等の基準画像および造影画像を生成する。ただし、第３実施形態において、画像生成部３５ｃはサブトラクション画像を生成しない場合がある。また算出部３５ｄは、造影画像データ（図２Ｂ）において造影剤の流入領域（Ａ２）を特定し、かつ、基準画像データ（図２Ａ）において注目部分（Ａ１）を特定する。また、合成部３５ｅは、造影画像データと基準画像データとを重畳する。さらに合成部３５ｅは、造影剤の流入領域の位置情報および注目部分の位置情報に基づき、部分的に合成比率を調整し、合成画像を生成する。
【０１１４】
＜画像生成部＞
画像生成部３５ｃは、再構成処理部３５ｂで作成された断層画像データまたはボリュームデータに対する画像処理を行い、基準画像データ、造影画像データ等のＸ線ＣＴ画像データを生成する。さらに画像生成部３５ｃは、Ｘ線ＣＴ画像データに対し、画像処理を行う。画像生成部３５ｃは、基準画像データを生成すると、主制御部３８を介して記憶部３６に記憶させる。また画像生成部３５ｃは、造影画像データを生成すると、当該データを算出部３５ｄに送る。
＜算出部＞
算出部３５ｄは、画像生成部３５ｃが生成した造影画像データを受ける。また算出部３５ｄは、記憶部３６から基準画像データを読み出す。また、算出部３５ｄは、造影剤が表す画素値（またはＣＴ値等）の所定値α、および被検体内の注目部位を表す画素値（またはＣＴ値）の所定値βをあらかじめ記憶している。この所定値α、所定値βは、所定の範囲を有していてもよい。
【０１１５】
算出部３５ｄは、造影画像データにおいて、画素（ピクセル）ごとにおける各画素値と所定値αとを比較する。例えば、算出部３５ｄは、画像生成部３５ｃから造影画像データを受けると、当該データにおける画素ごとの画素値と所定値αとを比較することにより、所定値αに対応する画素値を有するかについて判断する。当該判断の結果、算出部３５ｄは、造影画像データの画素から、造影剤を示す画素値に対応する部分を特定することにより、造影剤の流入領域Ａ２を特定する。さらに算出部３５ｄは、造影画像データにおける造影剤の流入領域Ａ２の位置情報を、造影画像データとともに合成部３５ｅに送る。この位置情報は、例えば造影画像データにおける造影剤の流入領域Ａ２の座標位置の情報である。
【０１１６】
算出部３５ｄは、基準画像データにおいて、画素（ピクセル）ごとにおける各画素値と所定値βとを比較する。例えば、算出部３５ｄは、記憶部３６から基準画像データを読み出す。また算出部３５ｄは、当該データにおける画素ごとの画素値と所定値βとを比較する。この比較により、算出部３５ｄは、所定値βに対応する画素値を有するかについて判断する。当該判断の結果、算出部３５ｄは、基準画像の各画素から、注目部位を示す画素値に対応する部分を特定することにより、注目部分（図２Ａ・注目部位を示す領域Ａ１等）を特定する。さらに算出部３５ｄは、基準画像データにおける注目部分の位置情報を、基準画像データとともに合成部３５ｅに送る。この位置情報は、例えば基準画像データにおける注目部分の座標位置の情報である。
【０１１７】
＜合成部＞
合成部３５ｅは、造影剤の流入領域の位置情報および注目部分の位置情報に基づき、部分的に合成比率を調整し、合成画像を生成する。以下、造影画像データと非造影画像データとの重畳により、合成画像データを生成する例について説明する。
【０１１８】
架台装置１０により関心領域に造影剤が流入された後の被検体のスキャンが開始されると、合成部３５ｅは算出部３５ｄから非造影画像データおよび造影画像データをそれぞれ上記各位置情報とともに受ける。また、合成部３５ｅは造影画像データから位置情報に基づいて造影剤の流入領域の画素を特定する。また、注目部分の位置情報に基づいて、非造影画像データから注目部分の画素を特定する。
【０１１９】
また合成部３５ｅは、各画像データをレイヤーとして累積的に合成し、合成比率を調整することにより合成画像データを生成する。すなわち、まず合成部３５ｅは造影画像データと非造影画像データを重ね合わせる。さらに合成部３５ｅは、重ね合わせた画像データのうち、特定した注目部分（Ａ１）の座標位置に基づき、造影画像データにおける該当する画素の合成比率を下げる。このような合成比率の変更により、合成画像において、造影画像データに付加された位置情報により特定される画素については、基準画像データの像（画素）が優先して表示される。すなわち、注目部分（注目部位を示す領域Ａ１等）が優先して表示される。
【０１２０】
同様に、合成部３５ｅは、重ね合わせた画像データのうち、特定した造影剤の流入領域Ａ２の座標位置に基づき、基準画像データにおいて該当する画素の合成比率を下げる。このような合成比率の変更により、合成画像における造影剤の流入領域Ａ２が優先して表示される。例えば造影剤の流入領域Ａ２と注目部分Ａ１とが重畳する場合においても、造影剤の流入領域Ａ２が優先して表示される。
【０１２１】
合成比率の変更の具体例としては、例えば、透明度の調整が挙げられる。この点については第１実施形態および第２実施形態と同様である。
【０１２２】
画像生成部３５ｃは、合成部３５ｅによる注目部分の合成処理の前に、画像の鮮鋭化、ノイズの低減・抑制、Ｓ／Ｎ比の向上、輪郭の強調などの画像処理を行なっている。しかしながらこのような構成に限らず、合成画像データに対して上記画像処理を行なってもよい。
【０１２３】
なお、所定値βの設定値は、被検体内の構造物、例えば、骨、臓器等の種別ごとに設定される。例えば、表示部３２に所定値βの設定画面を表示し、ユーザが入力部３１により任意の設定値を入力する構成であってもよい。また、記憶部３６があらかじめ、当該構造物の種別ごとに所定値βを記憶しておき、ユーザが入力部３１により選択する構成であってもよい。この場合、表示部３２に被検体内の構造物の選択画面を表示させてもよい。
【０１２４】
（動作）
次に、図７を参照して、本実施形態にかかるＸ線ＣＴ装置１の動作について説明する。図７は、第３実施形態にかかるＸ線ＣＴ装置１の動作の概要を示すフローチャートである。なお、本スキャンへの移行までの処理は第１実施形態（図３：Ｓ０１〜Ｓ０７）と同様であるため説明を割愛し、ここでは、算出部３５ｄおよび合成部３５ｅの動作ならびにそれらの動作に基づく制御について主に説明する。また、以下においては、基準画像として、非造影画像を用いる場合について説明する。
【０１２５】
＜Ｓ３１＞
主制御部３８が所定のトリガーを受けると、スキャン制御部３４に本スキャンの制御を行わせる。本スキャンにおいては、撮影条件が変更される。例えば、Ｘ線照射に関する管電流ｍＡや照射間隔（Ｘ線発生部１１の動作）、照射範囲（Ｘ線絞り部１６の絞り範囲）等が変更される。
【０１２６】
＜Ｓ３２＞
処理部３５は、本スキャンによりコンソール装置３０が受けた収集データに基づき、造影画像データを生成する。処理部３５において、画像生成部３５ｃが図２Ｂに示すような造影画像データを生成すると、当該データを算出部３５ｄに送る。
【０１２７】
＜Ｓ３３＞
算出部３５ｄは、図２Ａに示すような非造影画像データ記憶部３６から読み出す。
【０１２８】
＜Ｓ３４＞
算出部３５ｄは、あらかじめ記憶している所定値αと造影画像データの各画素における画素値を比較する。比較の結果、算出部３５ｄは、造影画像データから、造影剤の流入領域Ａ２を表す造影部分を特定する。また、算出部３５ｄは、あらかじめ記憶している所定値βと非造影画像データの各画素における画素値を比較する。比較の結果、算出部３５ｄは、非造影画像データから、骨などの注目部位を表す注目部分（注目部位を示す領域Ａ１等）を特定する。算出部３５ｄは、非造影画像データおよび造影画像データを、それぞれ特定した位置情報とともに合成部３５ｅに送る。
【０１２９】
＜Ｓ３５＞
合成部３５ｅは、算出部３５ｄから注目部分の位置情報とともに非造影画像データを受けると、当該位置情報に基づいて注目部分（Ａ１）を特定する。また算出部３５ｄから造影剤の流入領域Ａ２を表す造影部分の位置情報とともに造影画像データを受けると、当該位置情報に基づいて、造影部分を特定する。
【０１３０】
＜Ｓ３６＞
合成部３５ｅは、造影画像データと非造影画像データを重畳する。さらにそれぞれ特定した位置情報に基づき、造影画像データおよび非造影画像データの合成比率を画素ごとに調整する。これにより合成画像では、造影画像データの造影剤の流入領域が優先して表示される。また合成画像では、非造影画像データにおける、造影画像データの造影部分との重畳部分を除いた注目部分が優先して表示される。合成部３５ｅはこのようにして合成画像データを生成する。
【０１３１】
＜Ｓ３７＞
架台装置１０の主制御部３８は、入力部３１を介した本スキャンの終了指示があったかを判断する。主制御部３８は、当該指示が未だ入力されていない時点では（Ｓ３７；Ｎｏ）、上記Ｓ３２〜Ｓ３７の工程を繰り返す。つまり、Ｘ線ＣＴ装置１はスキャンを継続する。これに対し主制御部３８は、本スキャンの終了指示があったと判断すると（Ｓ３７；Ｙｅｓ）、スキャンを終了する。
【０１３２】
（作用効果）
上述の第３実施形態にかかるＸ線ＣＴ装置１の作用および効果について説明する。
【０１３３】
本実施形態におけるＸ線ＣＴ装置１は、造影剤の流入領域および注目部分を特定し、合成比率を調整して合成することにより基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、造影画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０１３４】
［第４実施形態］造影部分の輪郭を表示する実施例
次に、第４実施形態にかかるＸ線ＣＴ装置１について図８を参照して説明する。第４実施形態においては、第１実施形態〜第３実施形態と比較して、算出部３５ｄおよび合成部３５ｅの処理等が異なる。またこれらの相違に応じた各部の動作や処理内容も異なる場合がある。その他の部分は、第１実施形態〜第３実施形態にかかるＸ線ＣＴ装置１と同様である。したがって、第４実施形態において合成画像の生成方法は、第１実施形態〜第３実施形態のいずれであってもよい。以下、第１実施形態の合成画像の生成方法にしたがって、相違点を中心に説明する。
【０１３５】
（概要）
第１実施形態と同様に、第４実施形態にかかるＸ線ＣＴ装置１においても、コンソール装置３０の各種制御部により架台装置１０を駆動し、サブトラクション画像データを生成する。また、算出部３５ｄにより、造影剤の流入領域Ａ２や注目部分（注目部位を示す領域Ａ１等）等が特定される。また合成部３５ｅは、算出部３５ｄにより特定された位置情報に基づき画像データの注目部分や造影部分を抽出して画像データを合成する。ただし、第４実施形態においては、合成画像における造影剤の流入領域が占める範囲の輪郭を抽出して、合成画像においてその輪郭線を表示する。
【０１３６】
＜画像生成部＞
画像生成部３５ｃは、再構成処理部３５ｂで作成された断層画像データまたはボリュームデータに対する画像処理を行い、非造影画像等の基準画像データ、造影画像データ等のＸ線ＣＴ画像データを生成する。さらに画像生成部３５ｃは、Ｘ線ＣＴ画像データに対し、画像処理を行う。画像生成部３５ｃは、基準画像データを生成すると、主制御部３８を介して記憶部３６に記憶させる。また画像生成部３５ｃは、造影画像データを生成すると、記憶部３６から基準画像データを読み出す。また、画像生成部３５ｃは、上述のように生成した造影画像データと、読み出した基準画像データとのサブトラクション処理を行う。
【０１３７】
＜算出部＞
算出部３５ｄは、サブトラクション画像データにおいて、画素ごとにおける各画素値と所定値αとを比較する。算出部３５ｄは、当該比較により、所定値αに対応する画素値を有するかについて判断する。当該判断の結果、算出部３５ｄは、サブトラクション画像データの画素から、造影剤を示す画素値に対応する部分を特定することにより、造影剤の流入領域Ａ２を表す造影部分を特定する。さらに算出部３５ｄは、サブトラクション画像データにおける造影部分の位置情報を、サブトラクション画像データとともに合成部３５ｅに送る。
＜合成部＞
合成部３５ｅは、一例として、上記位置情報に基づいて、基準画像データにおける造影剤の流入領域Ａ２に対応する座標位置を特定する。さらに合成部３５ｅは、基準画像データにおいて特定した位置の各画素と、サブトラクション画像データにおける造影剤の流入領域Ａ２の各画素との位置との対応付けをする。さらに合成部３５ｅは、基準画像データにおいて造影剤の流入領域Ａ２に該当する位置の画素の画素値を造影剤の流入領域Ａ２の画素値に置き換える。このようにして合成画像データが生成される。なお、この構成に限らず、第２実施形態のように基準画像データから注目部分を特定し、合成画像を生成する構成であってもよい。
【０１３８】
また合成部３５ｅは、算出部３５ｄからサブトラクション画像データとともに受けた位置情報に基づいて、生成した合成画像における造影部分の輪郭を特定する。一例として、合成部３５ｅは造影部分に属する画素について、造影部分の輪郭に該当するかの判断を行う。すなわち合成部３５ｅは、造影部分に属する画素が、造影部分の最も外側にある画素に該当するかを判断する。
【０１３９】
この例において、まず合成部３５ｅは、上記位置情報に基づき造影部分に属する画素（以下、「造影画素」と記載する。）を特定する。また合成部３５ｅは、特定した造影画素それぞれに対して隣接する画素（以下、「隣接画素」と記載する。）の位置、すなわち画像における座標位置を取得する。さらに合成部３５ｅは、取得した座標位置と上記位置情報とを対比する。合成部３５ｅは対比の結果、当該座標位置が上記位置情報に合致すると判断した場合、その隣接画素を造影画素と判断する。これに対し、合成部３５ｅは、対比の結果、検索した隣接画素の座標位置が上記位置情報に合致しないと判断した場合、その隣接画素を造影部分（造影剤の流入領域Ａ２）に属さない画素（以下、「境界画素」と記載する。）と判断する。
【０１４０】
このようにして合成部３５ｅは、造影画素ごとに、隣接画素の座標位置と上記位置情報とを対比することにより、各造影画素に対する境界画素が存在するかを判断する。合成部３５ｅは対比の結果、境界画素が存在すると判断された造影画素を、造影部分の輪郭の一部として特定する。
【０１４１】
以上のように、合成部３５ｅは、上記位置情報に基づいて特定した造影画素それぞれに対し、境界画素が存在するかの判断を繰り返す。これにより、合成部３５ｅは、造影部分の輪郭の一部として特定された画素を連ねていき、造影部分の輪郭を特定する。
【０１４２】
輪郭の特定方法の他の例としては、位置情報に基づき境界画素の有無を判断するのではなく、合成画像等における画素を、所定の画素値（所定値α等）と対比し、造影部分に属する画素を特定し、その後、上述のように境界画素を特定してもよい。もしくは、画素値および位置情報の双方に基づき、合成画像における各画素から、造影画素と造影画素以外の画素とを特定し、造影画像とそれ以外の画素とが隣りあう位置を検索し、その画素を特定することにより、造影部分の輪郭を特定してもよい。
【０１４３】
また、合成部３５ｅは合成画像データにおいて特定した輪郭に対して、線（連続又は断続する線）として視認できるような画素値を割り当てる。例えば、合成画像における輪郭線は、造影画素の画素値および境界画素の画素値と識別可能な画素値が割り当てられる。また、輪郭線の表示方法としては、輪郭線に色を割り当てる、輪郭線を所定時間毎に反転表示させる、点滅して表示させる、特定の輝度（造影部分と識別できる輝度）を割り当てる等、任意の方法を用いることが可能である。
【０１４４】
なお、輪郭の特定処理、輪郭の表示処理に関しては、合成部３５ｅが行う必要はなく、画像生成部３５ｃ等、他の機能によって行われてもよい。
【０１４５】
（動作）
次に、図８を参照して、本実施形態にかかるＸ線ＣＴ装置１の動作について説明する。図８は、第４実施形態にかかるＸ線ＣＴ装置１の動作の概要を示すフローチャートである。なお、合成画像の生成方法は、第１実施形態〜第３実施形態と同様であるため、ここでは、合成部３５ｅによる輪郭線の特定方法の一例および当該表示方法に関連する制御について主に説明する。また、以下においては、基準画像として、非造影画像を用いる場合について説明する。
【０１４６】
＜Ｓ４１＞
合成部３５ｅは、サブトラクション画像データ、非造影画像データ、造影画像データ等に基づき、造影部分の抽出、注目部分の抽出または合成比率の調整を行なって合成画像データを生成する。
【０１４７】
＜Ｓ４２＞
合成部３５ｅは、算出部３５ｄから画像データとともに受けた位置情報に基づき、造影部分に属する画素を特定する。
【０１４８】
＜Ｓ４３＞
合成部３５ｅは、造影画素に隣接する画素の座標位置を取得する。
【０１４９】
＜Ｓ４４＞
合成部３５ｅは、算出部３５ｄから画像データとともに受けた位置情報と、隣接画素の座標位置を対比することにより、判断対象の造影画素に対する隣接画素のうち、境界画素に該当する画素があるかについて判断する。
【０１５０】
＜Ｓ４５＞
Ｓ４４の判断の結果、合成部３５ｅは、造影画素に対する隣接画素のうち、境界画素があると判断した場合（Ｓ４４；Ｙｅｓ）は、境界画素を有する当該造影画素を造影部分の輪郭の一部と判断する。
【０１５１】
＜Ｓ４６＞
Ｓ４４の判断の結果、合成部３５ｅは、造影画素に対する隣接画素のうち、境界画素がないと判断した場合（Ｓ４４；Ｎｏ）は、判断対象の造影画素は、造影部分の輪郭の一部でないと判断する。
【０１５２】
＜Ｓ４７＞
合成部３５ｅは、造影画素に対するＳ４４の判断の結果、輪郭を特定できたかについて判断する。例えば、造影画素の全てに対しＳ４４の判断を行ったことにより、輪郭の特定が完了したと判断する。このようにして合成部３５ｅが輪郭を特定したと判断した場合は、（Ｓ４７；Ｙｅｓ）、輪郭の特定処理を終了する。これに対し、合成部３５ｅが輪郭を特定していないと判断した場合は、（Ｓ４７；Ｎｏ）、合成部３５ｅは、上記Ｓ４３〜Ｓ４７の工程を繰り返す。
【０１５３】
（作用効果）
上述の第４実施形態にかかるＸ線ＣＴ装置１の作用および効果について説明する。
【０１５４】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０１５５】
また、第４実施形態においては、合成画像において造影部分の輪郭を表示するので、造影剤の流入範囲の把握がさらに容易となる。
【０１５６】
［変形例］
次に、第４実施形態にかかるＸ線ＣＴ装置１の変形例について説明する。第４実施形態では、算出部３５ｄが求めた位置情報に基づき、流入領域の輪郭線を特定する等、合成画像における画素単位で輪郭に該当するか否かを判断している。しかしながらこのような構成に限定されない。例えば、合成部３５ｅは、合成画像に対してエッジ検出を行う等の画像処理により造影部分の輪郭線を検出して、当該輪郭線を表示してもよい。
【０１５７】
上述の変形例においても第４実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。
【０１５８】
［第５実施形態］
次に、第５実施形態にかかるＸ線ＣＴ装置１について説明する。第５実施形態においては、第１実施形態〜第３実施形態と比較して、算出部３５ｄの制御等が異なる。またこれらの相違に応じた各部の動作や処理内容も異なる場合がある。その他の部分は第１実施形態〜第３実施形態にかかるＸ線ＣＴ装置１と同様である。したがって、第５実施形態において合成画像の生成方法は、第１実施形態〜第３実施形態のいずれであってもよい。以下、第１実施形態の合成画像の生成方法にしたがって、相違点を中心に説明する。
【０１５９】
（概要）
第１実施形態と同様に、第５実施形態にかかるＸ線ＣＴ装置１においても、コンソール装置３０の各種制御部により架台装置１０を駆動し、サブトラクション画像データを生成する。また、算出部３５ｄにより、造影剤の流入領域Ａ２や注目部分（例：注目部位を示す領域Ａ１）等が特定される。また合成部３５ｅは、算出部３５ｄにより特定された位置情報に基づき画像データの注目部分や造影部分を抽出して画像データを合成する。ただし、第５実施形態においては、合成画像における造影剤の流入領域Ａ２が占める範囲の面積を求め、面積の変化を合成画像に対応して表示する。
【０１６０】
＜画像生成部＞
画像生成部３５ｃは、再構成処理部３５ｂで作成された断層画像データまたはボリュームデータに対するレンダリング処理等を行い、非造影等の基準画像データ、造影画像データ等のＸ線ＣＴ画像データを生成する。さらに画像生成部３５ｃは、Ｘ線ＣＴ画像データに対し、画像処理を行う。画像生成部３５ｃは、基準画像データを生成すると、主制御部３８を介して記憶部３６に記憶させる。また画像生成部３５ｃは、造影画像データを生成すると、記憶部３６から基準画像データを読み出す。また、画像生成部３５ｃは、上述のように生成した造影画像データと、読み出した基準画像データとのサブトラクション処理を行う。
【０１６１】
＜算出部＞
算出部３５ｄは、サブトラクション画像データにおいて、画素ごとにおける各画素値と所定値αとを比較する。算出部３５ｄは、当該比較により、所定値αに対応する画素値を有するかについて判断する。当該判断の結果、算出部３５ｄは、サブトラクション画像データの画素から、造影剤を示す画素値に対応する部分を特定することにより、造影剤の流入領域Ａ２を表す造影部分を特定する。
【０１６２】
算出部３５ｄは、サブトラクション画像における造影部分に基づいて、造影剤の流入範囲の面積を求める。さらに算出部３５ｄは、順次生成されるサブトラクション画像の当該範囲の面積を順次求めていく。
【０１６３】
例えば算出部３５ｄは、画像において造影部分が占める画素数から画像内における流入範囲の面積を算出する。さらに算出部３５ｄは、寝台天板２３の実際のサイズと、画像との縮尺に基づいて画像内における面積を実際の面積に置き換えてもよい。このようにして算出部３５ｄは、順次生成されるサブトラクション画像の当該範囲の面積を順次求めていく。なお、第４実施形態のように造影部分の輪郭を特定して、輪郭に基づき面積を求めてもよい。
【０１６４】
また、算出部３５ｄは、反復的にスキャンされて生成されるＸ線ＣＴ画像に対し、上記面積を順次求めていき、さらに面積の経時的変化を示す画像を生成する。また算出部３５ｄは、合成画像の表示に同期して面積の経時的変化を示す画像を表示制御部３７に送る。表示制御部３７は、面積の経時的変化を示す画像を合成画像とともに、または合成画像とは独立に表示する。なお、合成画像における造影部分の経時的変化を示す画像とは、面積の経時的変化を示すグラフ表示や、当該面積の数値表示等が挙げられる。
【０１６５】
（作用効果）
上述の第５実施形態にかかるＸ線ＣＴ装置１の作用および効果について説明する。
【０１６６】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０１６７】
また、第５実施形態においては、合成画像における造影部分の面積の経時的変化を示す画像を表示するので、造影剤の流入範囲の拡大や縮小についての把握が容易となる。
【０１６８】
［変形例］
次に、第５実施形態にかかるＸ線ＣＴ装置１の変形例について説明する。第５実施形態では、算出部３５ｄが求めた造影部分の面積を求め、造影部分自体の面積を表示している。しかしながらこのような構成に限定されない。例えば、算出部３５ｄは、造影部分の面積を求めるだけでなく、注目部位（Ａ１：造影部分を含む被検体の構造物（骨浸潤に対する骨等））、すなわち画像における注目部位の面積を求める。
【０１６９】
さらに、算出部３５ｄは、注目部分の面積と、造影部分の面積の比を求める。さらに算出部３５ｄは、求めた面積比の経時的変化を示す画像を合成画像とともに、または合成画像とは独立に表示する。なお、合成画像における造影部分の経時的変化を示す画像とは、面積の経時的変化を示すグラフ表示や、当該面積比の数値表示等が挙げられる。なお、面積比でなく注目部分に対する造影部分の割合であってもよい。
【０１７０】
また、造影部分の面積は、合成画像データから求める必要はなく、例えばサブトラクション画像データに基づき面積を求めてもよい。この例において、上記変形例のように注目部分の面積と、造影部分の面積の比を求める場合、注目部分の面積は、基準画像データから注目部分を特定してから算出される。
【０１７１】
また他の例として、算出部３５ｄは、注目部分の幅（長さ）と、造影部分の幅の比を求める。例えば、注目部分における造影部分とが重複する部分における最も長い幅、または当該重複する部分における幅の平均値を注目部分の幅として求める。また、造影部分の幅（長さ）としては、注目部分の幅と同じ向きにおける最も長い幅、または幅の平均値を造影部分の幅として求める。さらに算出部３５ｄは、注目部分の幅と造影部分の幅の比を求める。
【０１７２】
さらに算出部３５ｄは、求めた幅の比の経時的変化を示す画像を合成画像とともに、または合成画像とは独立に表示する。なお、合成画像における造影部分の経時的変化を示す画像とは、幅の経時的変化を示すグラフ表示や、当該幅の比の数値表示等が挙げられる。なお、幅の比でなく注目部分に対する造影部分の割合であってもよい。
【０１７３】
これらの変形例においても第５実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。また、造影剤の流入範囲の拡大や縮小についての把握が容易となる。
【０１７４】
［第６実施形態］
次に、第６実施形態にかかるＸ線ＣＴ装置１について説明する。第６実施形態においては、第５実施形態と比較して、算出部３５ｄの浸潤領域のサイズの算出対象のみが異なる。またこれらの相違に応じた各部の動作や処理内容も異なる場合がある。その他の部分は第５実施形態にかかるＸ線ＣＴ装置１と同様である。以下、第５実施形態との相違点を中心に説明する。
【０１７５】
（概要）
第５実施形態と同様に、第６実施形態にかかるＸ線ＣＴ装置１においても、造影剤の流入領域Ａ２のサイズを求める。ただし、第５実施形態においては、ボリュームデータにおける造影剤の流入領域Ａ２が占める範囲の体積を求め、体積の変化を合成画像に対応して表示する。
【０１７６】
＜再構成処理部＞
再構成処理部３５ｂは、基準画像を得るためのスキャン（非造影スキャン等）、および造影スキャンによって得られた検出データに基づき、前処理部３５ａで作成された投影データの再構成処理を行う。本実施形態においては、再構成処理部３５ｂは、ボリュームデータを生成する。以下、基準画像を得るためのスキャンの結果、得られたボリュームデータを基準ボリュームデータと記載する。なお、基準ボリュームデータについては第１実施形態の変形例において説明した内容と同様であるため、説明を割愛する。また以下において造影スキャンによって得られたボリュームデータを造影ボリュームデータと記載する。
【０１７７】
再構成処理部３５ｂは、再構成処理により基準ボリュームデータを生成すると、記憶部３６に記憶させる。また、再構成処理部３５ｂは、再構成処理により造影ボリュームデータを生成すると、画像生成部３５ｃに送る。
【０１７８】
＜画像生成部＞
画像生成部３５ｃは、再構成処理部３５ｂから造影ボリュームデータを受ける。また画像生成部３５ｃは、基準ボリュームデータを記憶部３６から読み出す。画像生成部３５ｃは、造影ボリュームデータと基準ボリュームデータとのサブトラクション処理を行う。サブトラクション処理されたボリュームデータは、算出部３５ｄに送られる。
【０１７９】
＜算出部＞
算出部３５ｄは、サブトラクション処理されたボリュームデータにおいて、ボクセルごとにおける各ボクセル値と所定値αとを比較する。算出部３５ｄは、当該比較により、所定値αに対応するボクセル値を有するかについて判断する。当該判断の結果、算出部３５ｄは、サブトラクション処理されたボリュームデータのボクセルから、造影剤を示すボクセル値に対応する３次元領域を特定することにより、造影剤の流入領域を表す造影部分を特定する。
【０１８０】
算出部３５ｄは、サブトラクション処理されたボリュームデータにおける造影部分に基づいて、造影剤の流入範囲の体積を求める。さらに算出部３５ｄは、順次生成されるサブトラクション処理されたボリュームデータの当該範囲の体積を順次求めていく。
【０１８１】
例えば算出部３５ｄは、ボリュームデータにおいて造影部分が占めるボクセル数から画像内における流入範囲の体積を算出する。さらに算出部３５ｄは、架台装置１０（回転体１３）の内部領域における実際のサイズ（実空間のサイズ）と、画像との縮尺に基づいて画像内における体積を実際の体積に置き換えてもよい。このようにして算出部３５ｄは、順次生成されるサブトラクション処理されたボリュームデータの当該範囲の体積を順次求めていく。
【０１８２】
また、算出部３５ｄは、反復的にスキャンされて生成されるボリュームデータに対し、上記体積を順次求めていき、さらに体積の経時的変化を示す画像を生成する。また、算出部３５ｄは、合成画像の表示に同期して体積の経時的変化を示す画像を表示制御部３７に送る。表示制御部３７は、体積の経時的変化を示す画像を合成画像とともに、または合成画像とは独立に表示する。なお、合成画像における造影部分の経時的変化を示す画像とは、体積の経時的変化を示すグラフ表示や、当該体積の数値表示等が挙げられる。
【０１８３】
（作用効果）
上述の第６実施形態にかかるＸ線ＣＴ装置１の作用および効果について説明する。
【０１８４】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０１８５】
また、第６実施形態においては、造影部分の体積の経時的変化を示す画像を表示するので、造影剤の流入範囲の拡大や縮小についての把握が容易となる。
【０１８６】
［変形例］
次に、第６実施形態にかかるＸ線ＣＴ装置１の変形例について説明する。第６実施形態では、算出部３５ｄが求めた造影部分の体積を求め、造影部分自体の体積を表示している。しかしながらこのような構成に限定されない。例えば、算出部３５ｄは、造影部分の体積を求めるだけでなく、注目部位（造影部分を含む被検体の構造物（骨浸潤に対する骨等）、すなわちボリュームデータにおける注目部位の体積を求める。
【０１８７】
さらに、算出部３５ｄは、注目部分の体積と、造影部分の体積の比を求める。さらに算出部３５ｄは、求めた体積比の経時的変化を示す画像を合成画像とともに、または合成画像とは独立に表示する。なお、合成画像における造影部分の経時的変化を示す画像とは、体積の経時的変化を示すグラフ表示や、当該体積比の数値表示等が挙げられる。なお、体積比でなく注目部分に対する造影部分の割合であってもよい。
【０１８８】
次に、第６実施形態にかかる他の変形例にかかるＸ線ＣＴ装置１について図９を参照して説明する。図９は、第６実施形態の変形例にかかるＸ線ＣＴ装置１のブロック図である。第６実施形態では、サブトラクション処理されたボリュームデータにおける造影部分等の体積を求めている。しかしながら、これに限らず、算出部３５ｄは、造影ボリュームデータにおける造影部分の体積を求めてもよい。この場合、再構成処理された造影ボリュームデータは、図９に示すように再構成処理部３５ｂから算出部３５ｄに送られる。算出部３５ｄは、上記第６実施形態と同様に、造影ボリュームデータにおける造影部分の体積を求める。
【０１８９】
また、上記変形例のように注目部分の体積と、造影部分の体積の比を求める場合、算出部３５ｄは、記憶部３６から基準ボリュームデータを読出し、上記第６実施形態と同様に、基準ボリュームデータにおける注目部分の体積を求める。
【０１９０】
これらの変形例においても第６実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。また、造影剤の流入範囲の拡大や縮小についての把握が容易となる。
【０１９１】
［第７実施形態］
次に、第７実施形態にかかるＸ線ＣＴ装置１について説明する。第７実施形態においては、第５実施形態と比較して、算出部３５ｄおよび合成部３５ｅの制御等が異なる。またこれらの相違に応じた各部の動作や処理内容も異なる場合がある。その他の部分は第５実施形態にかかるＸ線ＣＴ装置１と同様である。以下、第５実施形態との相違点を中心に説明する。
【０１９２】
（概要）
第５実施形態と同様に、第７実施形態にかかるＸ線ＣＴ装置１においても、画像データにおける造影剤の流入領域Ａ２の面積を求める。ただし、第７実施形態においては、注目部分（注目部位を示す領域Ａ１等）の面積と造影剤の流入領域Ａ２との面積比が閾値に到達した場合または閾値を超えた場合、合成画像における造影剤の流入領域Ａ２の表示態様を変更して表示する。
【０１９３】
＜画像生成部＞
画像生成部３５ｃは、Ｘ線ＣＴ画像データを生成して画像処理を行う。また画像生成部３５ｃは、非造影画像データ等の基準画像データを生成すると、主制御部３８を介して記憶部３６に記憶させる。また画像生成部３５ｃは、造影画像データを生成すると、記憶部３６から基準画像データを読み出す。また、画像生成部３５ｃは、上述のように生成した造影画像データと、読み出した基準画像データとのサブトラクション処理を行う。
【０１９４】
＜算出部＞
算出部３５ｄは、サブトラクション画像データにおいて、画素ごとにおける各画素値と所定値αとを比較する。算出部３５ｄは、当該比較により、所定値αに対応する画素値を有するかについて判断する。当該判断の結果、算出部３５ｄは、サブトラクション画像データの画素から、造影剤を示す画素値に対応する部分を特定することにより、造影剤の流入領域Ａ２を表す造影部分を特定する。
【０１９５】
算出部３５ｄは、サブトラクション画像データにおける造影部分に基づいて、造影剤の流入範囲Ａ２の面積を求める。さらに算出部３５ｄは、順次生成されるサブトラクション画像の当該範囲の面積を順次求めていく。
【０１９６】
また算出部３５ｄは、記憶部３６から読出した基準画像データにおいて、画素ごとにおける各画素値と所定値βとを比較する。算出部３５ｄは、当該比較により、所定値βに対応する画素値を有するかについて判断する。当該判断の結果、算出部３５ｄは、基準画像データの画素から、注目部分（注目部位を示す領域Ａ１等）を特定する。また算出部３５ｄは、基準画像データにおける注目部分に基づいて注目部位の面積を求める。
【０１９７】
また、算出部３５ｄは、注目部分（Ａ１等）の面積と、造影剤の流入領域Ａ２の面積との比を求める。算出部３５ｄは、面積比の閾値をあらかじめ記憶している。算出部３５ｄは、面積の経時的変化に対応して、求めた面積比と閾値とを対比する。その対比により、算出部３５ｄは面積比が閾値に達したか、または閾値を超えたかを判断する。算出部３５ｄは面積比がこのような所定の条件満たした場合、合成部３５ｅに対し、合成画像における造影剤の流入領域Ａ２の表示態様の変更指示を送る。
【０１９８】
なお、閾値の例としては、骨に対する浸潤面積の割合を設定することが可能であり、例えばその設定値は、１／３とすることができる。具体例としては、医師等が、骨面積に対する骨浸潤面積が１／３を超えていれば、骨の切除を行うといった判断をする場合の、当該判断の支援をすることができる。
【０１９９】
＜合成部＞
合成部３５ｅは、第１実施形態〜第３実施形態に記載したような合成処理を経て合成画像を生成する。また、合成部３５ｅは、算出部３５ｄから上記表示態様の変更指示を受けると、合成画像における造影部分の表示態様を変更する。表示態様の変更方法としては、造影部分に対し、上記変更指示前と異なる色を割り当てる方法が挙げられる。その他、造影部分を所定時間毎に反転表示させる、点滅して表示させる、特定の輝度（造影部分と識別できる輝度）を割り当てる等、任意の方法を用いることが可能である。
【０２００】
（動作）
次に、図１０を参照して、本実施形態にかかるＸ線ＣＴ装置１の動作について説明する。図１０は、第７実施形態にかかるＸ線ＣＴ装置の動作の概要を示すフローチャートである。ここでは、算出部３５ｄの動作およびその動作に基づく制御について主に説明する。また、以下においては、基準画像として非造影画像を用いる場合について説明する。
【０２０１】
＜Ｓ５１＞
処理部３５は、本スキャンによりコンソール装置３０が受けた収集データに基づき、造影画像データ（図２Ａ参照）を生成する。
【０２０２】
＜Ｓ５２＞
処理部３５はＳ５１で造影画像データを生成すると、記憶部３６から非造影画像データ（図２Ｂ参照）を読み出す。画像生成部３５ｃは、非造影画像データと造影画像データとのサブトラクション処理を実行する。このサブトラクション処理によってサブトラクション画像データ（図２Ｃ参照）が生成される。
【０２０３】
＜Ｓ５３＞
算出部３５ｄは、画像生成部３５ｃからサブトラクション画像データを受けると、当該画像の各画素の画素値と、あらかじめ記憶している所定値αとを比較する。比較の結果、算出部３５ｄは、サブトラクション画像データから、造影剤の流入領域Ａ２を特定する。算出部３５ｄは、記憶部３６から非造影画像データを読み出す。また、算出部３５ｄは、あらかじめ記憶している所定値βと非造影画像データの各画素の画素値を比較する。比較の結果、算出部３５ｄは、非造影画像データから、骨などの注目部位を表す注目部分（注目部位を示す領域Ａ１等）を特定する。
【０２０４】
＜Ｓ５４＞
算出部３５ｄは、画像中において特定した造影剤の流入領域Ａ２の面積を算出する。
【０２０５】
＜Ｓ５５＞
算出部３５ｄは、画像中において特定した注目部分（Ａ１）の面積を算出する。なお、Ｓ５４とＳ５５の順序はいずれが先であっても、並行処理であってもよい。
【０２０６】
＜Ｓ５６＞
算出部３５ｄは、注目部分の面積と、造影部分の面積との比を求める。さらに算出部３５ｄは、面積の経時的変化に対応して、求めた面積比と閾値とを対比する。その対比により、算出部３５ｄは面積比が閾値に達したか、または閾値を超えたかを判断する。面積比が閾値に達するまでは（Ｓ５６；Ｎｏ）、算出部３５ｄは、Ｓ５１〜Ｓ５６の処理を繰り返す。ただし、スキャンの停止指示があった場合は、算出部３５ｄの当該処理も停止する。
【０２０７】
＜Ｓ５７＞
面積比が閾値に達すると（Ｓ５６；Ｙｅｓ）、算出部３５ｄは、合成画像における造影部分の表示態様変更の指示を送る。合成部３５ｅは、算出部３５ｄから変更指示を受けると、合成画像における造影剤の流入領域Ａ２の表示態様を変更する。
【０２０８】
（作用効果）
上述の第７実施形態にかかるＸ線ＣＴ装置１の作用および効果について説明する。
【０２０９】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０２１０】
また、第７実施形態においては、面積比に基づいて造影部分の表示態様を変更する。したがって、注目部位に対する病変部の進行状況、浸潤の程度によって、処置に影響がある場合、当該処置の判断が容易となる。
【０２１１】
［変形例］
次に、第７実施形態にかかるＸ線ＣＴ装置１の変形例について説明する。第７実施形態では、算出部３５ｄが注目部分と造影部分との面積比を求め、造影部分の表示態様を変更している。しかしながらこのような構成に限定されない。例えば、算出部３５ｄは、注目部分の幅（長さ）と、造影部分の幅の比を求める。例えば、第４実施形態の変形例のように注目部分の幅と造影部分の幅との比を求める。
【０２１２】
また算出部３５ｄは幅の比が閾値に達したか、または閾値を超えたかを判断する。算出部３５ｄは面積比がこのような所定の条件満たした場合、合成部３５ｅに対し、合成画像における造影剤の流入領域Ａ２の表示態様の変更指示を送る。また合成部３５ｅは、算出部３５ｄから上記表示態様の変更指示を受けると、合成画像における造影部分の表示態様を変更する。
【０２１３】
［第８実施形態］
次に、第８実施形態にかかるＸ線ＣＴ装置１について説明する。第８実施形態においては、第７実施形態と比較して、算出部３５ｄによる浸潤領域および注目部位のサイズの算出対象のみが異なる。またこれらの相違に応じた各部の動作や処理内容も異なる場合がある。その他の部分は第７実施形態にかかるＸ線ＣＴ装置１と同様である。以下、第７実施形態との相違点を中心に説明する。
【０２１４】
（概要）
第７実施形態と同様に、第８実施形態にかかるＸ線ＣＴ装置１においても、造影剤の流入領域のサイズと、注目部位のサイズの比によって合成画像の表示態様を変更する構成である。ただし、第８実施形態においては、ボリュームデータにおける造影剤の流入領域Ａ２が占める範囲の体積を求める。またボリュームデータにおける注目部位（注目部位を示す領域Ａ１等）が占める体積の変化を求める。合成画像に表示態様は、これらの体積比により求められる。
【０２１５】
＜再構成処理部＞
再構成処理部３５ｂは、基準画像を生成するためのスキャン、および造影スキャンによって得られた検出データに基づき、前処理部３５ａで作成された投影データの再構成処理を行う。本実施形態においては、再構成処理部３５ｂは、ボリュームデータを生成する。以下、基準画像を生成するためのスキャンの結果、得られたボリュームデータを基準ボリュームデータと記載する。なお、基準ボリュームデータについては第１実施形態の変形例において説明した内容と同様であるため、説明を割愛する。また造影スキャンによって得られたボリュームデータを造影ボリュームデータと記載する。
【０２１６】
再構成処理部３５ｂは、再構成処理により基準ボリュームデータを生成すると、記憶部３６に記憶させる。また、再構成処理部３５ｂは、再構成処理により造影ボリュームデータを生成すると、画像生成部３５ｃに送る。
【０２１７】
＜画像生成部＞
画像生成部３５ｃは、再構成処理部３５ｂから造影ボリュームデータを受ける。また画像生成部３５ｃは、非造影ボリュームデータを記憶部３６から読み出す。画像生成部３５ｃは、造影ボリュームデータと基準ボリュームデータとのサブトラクション処理を行う。サブトラクション処理されたボリュームデータは、算出部３５ｄに送られる。
【０２１８】
＜算出部＞
算出部３５ｄは、サブトラクション処理されたボリュームデータにおいて、ボクセルごとにおける各ボクセル値と所定値αとを比較し、造影剤を示すボクセル値に対応する３次元領域を特定することにより、造影剤の流入領域を表す造影部分を特定する。
【０２１９】
算出部３５ｄは、サブトラクション処理されたボリュームデータにおける造影部分に基づいて、造影剤の流入範囲の体積を求める。さらに算出部３５ｄは、順次生成されるサブトラクション処理されたボリュームデータの当該範囲の体積を順次求めていく。
【０２２０】
また算出部３５ｄは、記憶部３６から読出した基準ボリュームデータにおいて、ボクセルごとにおける各ボクセル値と所定値βとを比較することにより、基準画像データの画素から、注目部分を特定する。また算出部３５ｄは、基準ボリュームデータにおける注目部分に基づいて注目部位の体積を求める。
【０２２１】
また、算出部３５ｄは、注目部分の体積と、造影部分の体積との比を求める。算出部３５ｄは、体積比の閾値をあらかじめ記憶している。算出部３５ｄは、体積の経時的変化に対応して、求めた体積比と閾値とを対比する。その対比により、算出部３５ｄは体積比が閾値に達したか、または閾値を超えたかを判断する。算出部３５ｄは体積比がこのような所定の条件満たした場合、合成部３５ｅに対し、合成画像における造影部分の表示態様の変更指示を送る。
【０２２２】
なお、閾値の例としては、骨に対する浸潤体積の割合を閾値として設定することが可能であり、例えばその設定値は、１／３とすることができる。具体例としては、医師等が、骨体積に対する骨浸潤体積が１／３を超えていれば、骨の切除を行うといった判断をする場合の、当該判断の支援をすることができる。
【０２２３】
＜合成部＞
合成部３５ｅは、第１実施形態〜第３実施形態に記載したような合成処理を経て合成画像を生成する。また、合成部３５ｅは、算出部３５ｄから上記表示態様の変更指示を受けると、合成画像における造影部分の表示態様を変更する。表示態様の変更方法としては、造影部分に変更指示前と異なる色を割り当てる、造影部分を所定時間毎に反転表示させる、点滅して表示させる、特定の輝度（造影部分と識別できる輝度）を割り当てる等、任意の方法を用いることが可能である。
【０２２４】
（作用効果）
上述の第８実施形態にかかるＸ線ＣＴ装置１の作用および効果について説明する。
【０２２５】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、非造影画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０２２６】
また、第８実施形態においては、体積比に基づいて造影部分の表示態様を変更する。したがって、注目部位に対する病変部の進行状況、浸潤の程度によって、処置に影響がある場合、当該処置の判断が容易となる。
【０２２７】
［第９実施形態］
次に、第９実施形態にかかるＸ線ＣＴ装置１について説明する。第９実施形態においては、第５実施形態と比較して、算出部３５ｄおよびスキャン制御部３４の制御等が異なる。またこれらの相違に応じた各部の動作や処理内容も異なる場合がある。その他の部分は第５実施形態にかかるＸ線ＣＴ装置１と同様である。以下、第５実施形態との相違点を中心に説明する。
【０２２８】
（概要）
第５実施形態と同様に、第８実施形態にかかるＸ線ＣＴ装置１においても、造影剤の流入領域のサイズを求める。ただし、第８実施形態においては、造影剤の流入領域のサイズが最大値となったときに、スキャンを停止する構成である。
【０２２９】
＜画像生成部＞
画像生成部３５ｃは、非造影画像データ等の基準画像データ（図２Ａ）、造影画像データ（図２Ｂ）等のＸ線ＣＴ画像データを生成する。画像生成部３５ｃは、基準画像データを生成すると、主制御部３８を介して記憶部３６に記憶させる。また画像生成部３５ｃは、造影画像データを生成すると、記憶部３６から基準画像データを読み出す。また、画像生成部３５ｃは、上述のように生成した造影画像データと、読み出した基準画像データとのサブトラクション処理を行う。
【０２３０】
＜算出部＞
算出部３５ｄは、サブトラクション画像データ（図２Ｃ）において、画素ごとにおける各画素の画素値と所定値αとを比較し、造影部分を特定する。また、算出部３５ｄは、サブトラクション画像における造影剤の流入範囲Ａ２に基づいて、造影部分の面積を求める。さらに算出部３５ｄは、順次生成されるサブトラクション画像の造影部分の面積を順次求めていき、造影部分の最大面積を求める。例えば、面積が増加し続けている状態では、算出部３５ｄは、まだ最大面積と判断しない。この場合、算出部３５ｄは、面積の増加が停止した時点、あるいは面積が減少し始めた時点で、サブトラクション画像における造影剤の流入領域が最大面積となったと判断する。
【０２３１】
算出部３５ｄは、画像における造影剤の流入領域が最大面積となったと判断した場合、主制御部３８を介してスキャン制御部３４に、スキャンの停止指示を送る。スキャン制御部３４は当該指示に基づき架台装置１０におけるスキャンを停止させる。例えば、Ｘ線発生部１１、架台駆動部１５、絞り駆動部１７の動作を停止させる。
【０２３２】
（動作）
次に、図１１を参照して、本実施形態にかかるＸ線ＣＴ装置１の動作について説明する。図１１は、第９実施形態にかかるＸ線ＣＴ装置１の動作の概要を示すフローチャートである。ここでは、算出部３５ｄの動作およびその動作に基づく制御について主に説明する。また、以下においては、基準画像として非造影画像を用いる場合について説明する。
【０２３３】
＜Ｓ６１＞
処理部３５は、本スキャンによりコンソール装置３０が受けた収集データに基づき、図２Ｂに示すような造影画像データを生成する。
【０２３４】
＜Ｓ６２＞
処理部３５はＳ６１で造影画像データを生成すると、記憶部３６から、図２Ａに示すような非造影画像データを読み出す。画像生成部３５ｃは、非造影画像データと造影画像データとのサブトラクション処理を実行する。このサブトラクション処理によって、図２Ｃに示すようなサブトラクション画像データが生成される。
【０２３５】
＜Ｓ６３＞
算出部３５ｄは、画像生成部３５ｃからサブトラクション画像データを受けると、当該画像の各画素の画素値と、あらかじめ記憶している所定値αとを比較する。比較の結果、算出部３５ｄは、サブトラクション画像データから、造影剤の流入領域Ａ２を特定する。算出部３５ｄは、記憶部３６から非造影画像データを読み出す。また、算出部３５ｄは、あらかじめ記憶している所定値βと非造影画像データの各画素の画素値を比較する。比較の結果、算出部３５ｄは、非造影画像データから、骨などの注目部位を表す注目部分（注目部位を示す領域Ａ１等）を特定する。
【０２３６】
＜Ｓ６４＞
算出部３５ｄは、画像中において特定した造影剤の流入領域Ａ２の面積を算出する。
【０２３７】
＜Ｓ６５＞
算出部３５ｄは、画像中において特定した注目部分（Ａ１）の面積を算出する。なお、Ｓ５４とＳ５５の順序はいずれが先であっても、並行処理であってもよい。
【０２３８】
＜Ｓ６６＞
算出部３５ｄは、算出した造影剤の流入領域Ａ２の面積が最大値であったかについて判断する。例えば、１フレーム前の画像における当該面積との比較において判断する。処理部３５は、最大値を算出したと判断するまで（Ｓ６６；Ｎｏ）、Ｓ６１〜Ｓ６５の動作を繰り返す。
【０２３９】
＜Ｓ６７＞
算出部３５ｄが面積の最大値を算出したと判断した場合（Ｓ６６；Ｙｅｓ）、算出部３５ｄは、主制御部３８にスキャンの停止の指示を送る。主制御部３８は、スキャン制御部３４を介して架台装置１０におけるスキャンを停止させる。
【０２４０】
なお、本実施形態においても、ユーザーにより入力部３１を介したスキャンの停止の指示がなされる場合があり、その場合にスキャンを停止させてもよい。
【０２４１】
（作用効果）
上述の第９実施形態にかかるＸ線ＣＴ装置１の作用および効果について説明する。
【０２４２】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０２４３】
また、第９実施形態にかかるＸ線ＣＴ装置１は、造影剤の流入領域Ａ２の面積を算出し、さらに当該面積が最大値となったか判断する。さらにＸ線ＣＴ装置１は、制御部等が当該判断に基づいてスキャンを停止させる。したがって、Ｘ線ＣＴ装置１の操作者の作業負担を軽減させることが可能である。
【０２４４】
[第１変形例]
次に、第９実施形態にかかるＸ線ＣＴ装置１の第１変形例について説明する。第９実施形態にかかるＸ線ＣＴ装置１では、算出部３５ｄがサブトラクション画像データにおいて造影剤の流入領域Ａ２の面積を算出する構成である。しかしながら、このような構成に限られず、造影画像データにおいて造影剤の流入領域Ａ２の面積を算出してもよい。この構成においては、算出部３５ｄの面積の算出処理と、画像生成部３５ｃによるサブトラクション処理とを並行して行うことができる場合がある。
【０２４５】
[第２変形例]
次に、第９実施形態にかかるＸ線ＣＴ装置１の第２変形例について説明する。第９実施形態にかかるＸ線ＣＴ装置１では、算出部３５ｄは造影剤の流入領域Ａ２の面積を順次算出する構成である。しかしながら、このような構成に限られない。例えば、算出部３５ｄは、サブトラクション画像の画素におけるＣＴ値の平均値を算出し、その平均値の最大値を算出する構成であってもよい。また、平均値でなくその他の統計値（標準偏差等）でもよい。
【０２４６】
第２変形例においても第９実施形態と同種の効果を達成することが可能である。
【０２４７】
[第３変形例]
次に、第９実施形態にかかるＸ線ＣＴ装置１の第３変形例について説明する。第９実施形態にかかるＸ線ＣＴ装置１では、算出部３５ｄは造影剤の流入領域Ａ２の面積の最大値を算出し、最大面積を算出した時点でスキャンを停止する。しかしながらこれに限らず例えば算出部３５ｄが造影剤の流入領域Ａ２の面積の最大値を算出した時点で、主制御部３８に再構成処理の停止指示を送ってもよい。または算出部３５ｄが造影剤の流入状態に応じて再構成条件の変更指示を送ってもよい。
【０２４８】
上記構成においては、算出部３５ｄが造影剤の流入領域Ａ２の面積の最大値を算出したと判断した場合、主制御部３８に再構成条件の変更指示または再構成処理の停止指示が送られる。主制御部３８は、当該指示を受けて再構成処理部３５ｂによる、再構成処理の間隔、再構成関数をあらかじめ設定された条件に変更する。あるいは主制御部３８は、当該指示を受けて再構成処理部３５ｂによる、再構成処理を停止する。または主制御部３８は、造影剤の流入領域の算出値の推移、当該領域の全体に占める割合の推移、画素値の平均値の推移に応じて再構成処理の間隔や、再構成関数をあらかじめ設定された条件に変更する。
【０２４９】
第３変形例においても第９実施形態と同種の効果を達成することが可能である。
【０２５０】
[第４変形例]
次に、第９実施形態にかかるＸ線ＣＴ装置１の第４変形例について説明する。第１０実施形態にかかるＸ線ＣＴ装置１では、算出部３５ｄは造影部分の面積積の最大値を算出し、最大面積を算出した時点でスキャンを停止する。しかしながらこれに限らず、例えば、算出部３５ｄは、第７実施形態の変形例のように、注目部分の面積と、造影部分の面積の比を求め、比によってスキャン（または再構成処理）を停止させてもよい。すなわち、算出部３５ｄは、注目部分の面積を求め、かつ造影部分の面積を求める。さらに算出部３５ｄは、面積比と閾値を比較し、面積比が閾値に到達したか判断する。面積比が閾値に到達した場合は、スキャン（または再構成処理）を停止させる。
【０２５１】
第４変形例においても第９実施形態と同種の効果を達成することが可能である。
【０２５２】
［第１０実施形態］
次に、第１０実施形態にかかるＸ線ＣＴ装置１について説明する。第１０実施形態においては、第９実施形態と比較して、算出部３５ｄによる浸潤領域および注目部位のサイズの算出対象のみが異なる。またこれらの相違に応じた各部の動作や処理内容も異なる場合がある。その他の部分は第９実施形態にかかるＸ線ＣＴ装置１と同様である。以下、第９実施形態との相違点を中心に説明する。
【０２５３】
（概要）
第９実施形態と同様に、第１０実施形態にかかるＸ線ＣＴ装置１においても、造影剤の流入領域のサイズが最大値となったときに、スキャンを停止する構成である。ただし、第１０実施形態においては、ボリュームデータにおける造影剤の流入領域が占める範囲の体積を求める。
【０２５４】
＜再構成処理部＞
再構成処理部３５ｂは、再構成処理を行い、基準ボリュームデータ、造影ボリュームデータを生成する。基準ボリュームデータは、記憶部３６に記憶され、造影ボリュームデータは、画像生成部３５ｃに送られる。なお、基準ボリュームデータについては第１実施形態の変形例において説明した内容と同様であるため、説明を割愛する。
【０２５５】
＜画像生成部＞
画像生成部３５ｃは、再構成処理部３５ｂから造影ボリュームデータを受ける。また画像生成部３５ｃは、基準ボリュームデータを記憶部３６から読み出す。画像生成部３５ｃは、造影ボリュームデータと基準ボリュームデータとのサブトラクション処理を行う。サブトラクション処理されたボリュームデータは、算出部３５ｄに送られる。
【０２５６】
＜算出部＞
算出部３５ｄは、サブトラクション処理されたボリュームデータにおいて、ボクセルごとにおける各ボクセル値と所定値αとを比較し、造影剤を示すボクセル値に対応する３次元領域を特定することにより、造影剤の流入領域を表す造影部分を特定する。
【０２５７】
算出部３５ｄは、サブトラクション処理されたボリュームデータにおける造影部分に基づいて、造影剤の流入範囲の体積を求める。さらに算出部３５ｄは、順次生成されるサブトラクション処理されたボリュームデータの造影部分の体積を順次求めていくことにより、造影部分の体積が最大値になったかを判断する。例えば、体積が増加し続けている状態では、算出部３５ｄは、まだ最大体積と判断しない。この場合、算出部３５ｄは、体積の増加が停止し、体積が減少し始めた時点で、サブトラクション画像における造影剤の流入領域が最大体積となったと判断する。
【０２５８】
算出部３５ｄは、画像における造影剤の流入領域が最大体積となったと判断した場合、主制御部３８を介してスキャン制御部３４に、スキャンの停止指示を送る。スキャン制御部３４は当該指示に基づき架台装置１０におけるスキャンを停止させる。例えば、Ｘ線発生部１１、架台駆動部１５、絞り駆動部１７の動作を停止させる。
【０２５９】
（作用効果）
上述の第１０実施形態にかかるＸ線ＣＴ装置１の作用および効果について説明する。
【０２６０】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０２６１】
また、第１０実施形態にかかるＸ線ＣＴ装置１は、造影部分の体積を算出し、さらに当該体積が最大値となったか判断する。さらにＸ線ＣＴ装置１は、制御部等が当該判断に基づいてスキャンを停止させる。したがって、Ｘ線ＣＴ装置１の操作者の作業負担を軽減させることが可能である。
【０２６２】
[第１変形例]
次に、第１０実施形態にかかるＸ線ＣＴ装置１の第１変形例について説明する。第１０実施形態にかかるＸ線ＣＴ装置１では、算出部３５ｄがサブトラクション処理されたボリュームデータにおいて造影剤の流入領域の体積を算出する構成である。しかしながら、このような構成に限られず、造影ボリュームデータにおいて造影部分の体積を算出してもよい。この構成においては、算出部３５ｄの体積の算出処理と、画像生成とを並行して行うことができる場合がある。
【０２６３】
[第２変形例]
次に、第１０実施形態にかかるＸ線ＣＴ装置１の第２変形例について説明する。第１０実施形態にかかるＸ線ＣＴ装置１では、算出部３５ｄは造影剤の流入領域の体積を順次算出する構成である。しかしながら、このような構成に限られない。例えば、算出部３５ｄは、サブトラクション処理されたボリュームデータのボクセルにおけるボクセル値の平均値を算出し、その最大値を算出する構成であってもよい。また、平均値でなくその他の統計値（標準偏差等）でもよい。
【０２６４】
第２変形例においても第１０実施形態と同種の効果を達成することが可能である。
【０２６５】
[第３変形例]
次に、第１０実施形態にかかるＸ線ＣＴ装置１の第３変形例について説明する。第１０実施形態にかかるＸ線ＣＴ装置１では、算出部３５ｄは造影部分の体積の最大値を算出し、最大体積を算出した時点でスキャンを停止する。しかしながらこれに限らず、例えば算出部３５ｄが造影部分の体積の最大値を算出した時点で、主制御部３８に再構成処理の停止指示を送ってもよい。または算出部３５ｄが造影剤の流入状態に応じて再構成条件の変更指示を送ってもよい。
【０２６６】
上記構成においては、算出部３５ｄが画像またはボリュームデータにおける、造影部分の体積の最大値を算出したか判断する。さらにＸ線ＣＴ装置１は、主制御部３８は、当該指示を受けて再構成処理部３５ｂによる、再構成処理を停止する。あるいは造影剤の流入領域の算出値の推移、当該領域の全体に占める割合の推移、ＣＴ値の平均値の推移によって再構成処理の間隔、再構成関数をあらかじめ設定された条件に変更する。したがって、Ｘ線ＣＴ装置１の操作者の作業負担を軽減させることが可能な場合がある。またコンソール装置３０における処理負担を軽減させることが可能な場合がある。
画像における注目部位の面積を求める。
【０２６７】
[第４変形例]
次に、第１０実施形態にかかるＸ線ＣＴ装置１の第４変形例について説明する。第１０実施形態にかかるＸ線ＣＴ装置１では、算出部３５ｄは造影部分の体積の最大値を算出し、最大体積を算出した時点でスキャンを停止する。しかしながらこれに限らず、例えば、算出部３５ｄは、第８実施形態の変形例のように、注目部分の体積と、造影部分の体積の比を求め、比によってスキャン（または再構成処理）を停止させてもよい。すなわち、算出部３５ｄは、注目部分の体積を求め、かつ造影部分の体積を求める。さらに算出部３５ｄは、体積比と閾値を比較し、体積比が閾値に到達したか判断する。体積比が閾値に到達した場合は、スキャン（または再構成処理）を停止させる。
【０２６８】
［第１１実施形態］
次に、第１１実施形態にかかるＸ線ＣＴ装置１について説明する。第１１実施形態は、第９実施形態または第１０実施形態と比較して、主制御部３８の構成等が異なる。またこれらの相違に応じた各部の動作や処理内容も異なる場合がある。その他の部分は第９実施形態または第１０実施形態にかかるＸ線ＣＴ装置１と同様である。以下、第９実施形態または第１０実施形態との相違点を中心に説明する。
【０２６９】
第９実施形態または第１０実施形態と同様に、第１１実施形態にかかるＸ線ＣＴ装置１においても、コンソール装置３０の各種制御部により架台装置１０を駆動し、サブトラクション画像を生成する。また、算出部３５ｄが画像またはボリュームデータにおける、造影部分のサイズの最大値を算出したか判断する構成も同様である。ただし、第１１実施形態においては、算出部３５ｄが造影部分のサイズの最大値を算出した時点で、画像データ（例えば動画像データ）に付帯情報を付加する点で異なる。
【０２７０】
算出部３５ｄが造影部分のサイズの最大値を算出したと判断した場合、例えば主制御部３８は、最大値となった時点の情報を、ユーザが参照可能な情報として付加する。具体例としては、最大値となった時点の画像のフレームにその旨を示す情報（文字情報等）として付加する。また、生成された動画像等のデータに、スキャン開始から最大値を算出するまでの経過時間を付加してもよい。
【０２７１】
なお、上記実施形態に限らず、他の構成とすることが可能である。例えば、算出部３５ｄが造影剤の流入領域の面積または体積を算出する点のみ共通するが、算出部３５ｄが最大値を算出したか否かの判断をしない構成を用いることも可能である。算出部３５ｄは、造影剤の流入領域の算出値の推移、当該領域の全体に占める割合の推移、画素値の平均値の推移をグラフ等により示してもよい。
【０２７２】
（作用効果）
上述の第１１実施形態にかかるＸ線ＣＴ装置１の作用および効果について説明する。
【０２７３】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０２７４】
また、第１１実施形態にかかるＸ線ＣＴ装置１は、算出部３５ｄの算出値をユーザに参照情報として提供する。したがって、Ｘ線ＣＴ装置１の操作者の作業負担を軽減させることが可能な場合がある。
【０２７５】
［第１２実施形態］
次に、第１２実施形態にかかるＸ線ＣＴ装置１について図１２Ａ〜図１２Ｃおよび図１３を参照して説明する。図１２Ａ〜図１２Ｃは、第１２実施形態における第２サブトラクション画像データの変化の概要を示す図である。第１２実施形態においては、第１実施形態と比較して、画像処理部３５ｃの処理内容および合成部３５ｅの処理内容のみが異なる。またこれらの相違に応じた各部の動作や処理内容も異なる場合がある。その他の部分は第１実施形態にかかるＸ線ＣＴ装置１と同様である。以下、第１実施形態との相違点を中心に説明する。
【０２７６】
（概要）
第１実施形態と同様に、第１２実施形態にかかるＸ線ＣＴ装置１においても、コンソール装置３０の各種制御部により架台装置１０を駆動し、サブトラクション画像（図２Ｃ）を生成する。
【０２７７】
ただし、第１２実施形態においては、基準画像および造影画像に基づくサブトラクション画像を生成するだけでなく、時相の異なる造影画像それぞれに基づくサブトラクション画像を経時的に生成していく。なお、以下においては基準画像及び造影画像に基づくサブトラクション画像を「第１のサブトラクション画像」と記載することがある。また、時相の異なるサブトラクション画像同士をサブトラクション処理することにより得られたサブトラクション画像を「第２のサブトラクション画像」と記載することがある。さらに第１２実施形態においては、順次生成される第２のサブトラクション画像との表示態様を変更し、かつ合成画像とさらに合成し、表示用の画像を生成する。
【０２７８】
＜画像生成部＞
画像生成部３５ｃは、第１実施形態と同様に、再構成処理部３５ｂで作成された断層画像データまたはボリュームデータに対する画像処理を行い、非造影画像等の基準画像データ、造影画像データ、第１のサブトラクション画像データおよび第２のサブトラクション画像データ等のＸ線ＣＴ画像データを生成する。まず画像生成部３５ｃは、基準画像データを生成すると、主制御部３８を介して記憶部３６に記憶させる。また第１実施形態と同様に、画像生成部３５ｃは、造影画像データを生成する。
【０２７９】
また画像生成部３５ｃは、造影画像データと基準画像データとのサブトラクション処理を行う。つまり第１実施形態と同様に、架台装置１０によるスキャンが開始されると、画像生成部３５ｃは第１のサブトラクション画像を生成する。
【０２８０】
ただし、第１２実施形態における処理部３５ｃは、所定回数だけ第１のサブトラクション画像を生成した後、第２のサブトラクション画像の生成も開始する。すなわち、画像生成部３５ｃは、生成した造影画像と、当該造影画像とは時相の異なる造影画像（「第２の造影画像」の一例）とをサブトラクション処理することにより、第２のサブトラクション画像を生成する。例えば、画像生成部３５ｃは、直前（１回前）のスキャンによって生成した造影画像と現在生成した造影画像とをサブトラクション処理する。
【０２８１】
この例においてスキャンが１〜ｎ回行われる場合、画像生成部３５ｃは、まず２回目のスキャンによる造影画像と１回目のスキャンによる造影画像との間でサブトラクション処理を行うことにより第２のサブトラクション画像を生成し始める。さらに画像生成部３５ｃは、３回目のスキャンによる造影画像と２回目のスキャンによる造影画像との間でサブトラクション処理を行う。このように順次当該処理を繰り返し、ｎ回目のスキャンのスキャンによる造影画像とｎ−１回目のスキャンによる造影画像との間でサブトラクション処理を行う。画像生成部３５ｃは、このようにして生成した第２のサブトラクション画像データを合成部３５ｅに送る。
【０２８２】
＜算出部＞
第１実施形態と同様に算出部３５ｄは、第１のサブトラクション画像データにおいて、画素ごとにおける各画素値と所定値αとを比較する。算出部３５ｄは、当該比較により、所定値αに対応する画素値を有するかについて判断する。当該判断の結果、算出部３５ｄは、第１のサブトラクション画像データの画素から、造影剤を示す画素値に対応する部分を特定することにより、造影剤の流入領域を表す造影部分を特定する。
【０２８３】
＜合成部＞
合成部３５ｅは、第１のサブトラクション画像をまたは造影画像データにおいて造影剤の流入領域を抽出して、基準画像データと合成する。さらに、合成部３５ｅは、第２のサブトラクション画像データの表示態様を変更する。第１２実施形態において合成部３５ｅは、表示態様変更後の第２サブトラクション画像と当該合成された画像データを合成する。表示態様の変更方法としては、上記特定した部分についてその周囲の部分と異なる色を割り当てる等の方法が挙げられる。その他、表示態様の変更方法として、造影部分を所定時間毎に反転表示させる、点滅して表示させる、特定の輝度（造影部分と識別できる輝度）を割り当てる等、任意の方法を用いることが可能である。
【０２８４】
第２のサブトラクション画像は、サブトラクション画像同士の差分であるので、当該画像に造影部分が存在する場合は、造影部分に経時的な変化があったことになる。つまり、合成画像と第２のサブトラクション画像を合成した画像においては、当該経時的変化があった部分の表示態様が変更される。したがって、図１２Ａ〜図１２Ｃに示すように造影部分の経時的な変化を明確に示すことが可能となる。
【０２８５】
ただし、このような構成に限らず、ユーザが認識する必要がない程度の造影部分の微小な変化があったに過ぎない場合は、第２のサブトラクション画像を合成の対象としない構成とすることも可能である。すなわち、算出部３５ｄは、第２のサブトラクション画像データにおける造影部分の面積があらかじめ設定された閾値に到達するまでは、合成部３５ｅに第２のサブトラクション画像を送らない構成とすることも可能である。言換すると、算出部３５ｄは第２のサブトラクション画像における造影部分の面積があらかじめ設定された閾値に到達した場合に、合成部３５ｅに第２のサブトラクション画像を送る構成とすることも可能である。
【０２８６】
（動作）
次に、図１３を参照して、本実施形態にかかるＸ線ＣＴ装置１の動作について説明する。図１３は、第１２実施形態にかかるＸ線ＣＴ装置１の動作の概要を示すフローチャートである。ここでは、算出部３５ｄおよび合成部３５ｅの動作およびその動作に基づく制御について主に説明する。また、以下においては、基準画像として非造影画像を用いる場合について説明する。
【０２８７】
＜Ｓ７１＞
処理部３５は、本スキャンによりコンソール装置３０が受けた収集データに基づき、図２Ｂに示すような造影画像データを生成する。
【０２８８】
＜Ｓ７２＞
処理部３５はＳ７１で造影画像データを生成すると、記憶部３６から、図２Ａに示すような非造影画像データを読みだす。画像生成部３５ｃは、非造影画像データと造影画像データとのサブトラクション処理を実行する。このサブトラクション処理によって、図２Ｃに示すような第１のサブトラクション画像データが生成される。サブトラクション画像データは、算出部３５ｄに送られる。さらに画像生成部３５ｃは、生成した造影画像と、当該造影画像とは時相の異なる造影画像とをサブトラクション処理することにより、第２のサブトラクション画像を生成する。
【０２８９】
＜Ｓ７３＞
算出部３５ｄは、画像生成部３５ｃが生成した第１のサブトラクション画像データを受ける。また、算出部３５ｄは、あらかじめ記憶している所定値αと第１のサブトラクション画像データの各画素値を比較する。比較の結果、算出部３５ｄは、第１のサブトラクション画像の画素から、造影部分を特定する。
【０２９０】
同様に算出部３５ｄは、第２のサブトラクション画像データにおいて、画素ごとにおける各画素値と所定値αとを比較することにより、第２の造影部分を特定する。算出部３５ｄは、このように時相の異なる第２のサブトラクション画像データの第２の造影部分を順次特定していく。
【０２９１】
＜Ｓ７４＞
算出部３５ｄは、第２のサブトラクション画像データにおける第２の造影部分の面積を求める。
【０２９２】
＜Ｓ７５＞
算出部３５ｄは、第２の造影部分の面積があらかじめ設定された閾値に到達したか判断する。
【０２９３】
＜Ｓ７６＞
算出部３５ｄは、第２のサブトラクション画像データにおける第２の造影部分の面積が、あらかじめ設定された閾値に到達したと判断した場合は（Ｓ７５；Ｙｅｓ）、第２のサブトラクション画像を合成部３５ｅに送る。
【０２９４】
＜Ｓ７７＞
合成部３５ｅは、算出部３５ｄから造影剤の流入領域Ａ２の位置情報と共に第１のサブトラクション画像データを受けると、位置情報に基づいて造影剤の流入領域Ａ２を抽出する。また、合成部３５ｅは、記憶部３６から読み出した非造影画像データと抽出した造影剤の流入領域Ａ２とを合成する（図２Ｄ）。さらに合成部３５ｅは、第２のサブトラクション画像の表示態様を変更し、かつ変更後の第２のサブトラクション画像と当該合成画像とをさらに合成した表示用の合成画像を生成する。
【０２９５】
＜Ｓ７８＞
算出部３５ｄが、第２の造影部分の面積が上記閾値に到達していないと判断した場合（Ｓ７５；Ｎｏ）、合成部３５ｅは、算出部３５ｄから第２のサブトラクション画像を受けず、抽出した造影剤の流入領域Ａ２と非造影画像（または造影画像）との合成画像（図２Ｄ）を生成する。
【０２９６】
＜Ｓ７９＞
架台装置１０の主制御部３８は、入力部３１を介した本スキャンの終了指示があったかを判断する。主制御部３８は、当該指示が未だ入力されていない時点では（Ｓ７９；Ｎｏ）、上記Ｓ７１〜Ｓ７８の工程を繰り返す。つまり、Ｘ線ＣＴ装置１はスキャンを継続する。これに対し主制御部３８は、本スキャンの終了指示があったと判断すると（Ｓ７９；Ｙｅｓ）、スキャンを終了する。
【０２９７】
なお、ボリュームデータ同士をサブトラクション処理し、第２の造影部分を当該サブトラクションされたボリュームデータにおいて特定する構成であってもよい。
【０２９８】
さらに、算出部３５ｄによって、合成画像、造影画像等における造影部分のサイズ（面積または体積）を求め、その面積等の増加に基づき、造影部分の広がりをベクトル表示させることも可能である。また造影部分のサイズおよび画素値の変化に基づき濃度勾配を合成画像と共に表示させてもよい。
【０２９９】
（作用効果）
上述の第１２実施形態にかかるＸ線ＣＴ装置１の作用および効果について説明する。
【０３００】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０３０１】
また、第１２実施形態にかかるＸ線ＣＴ装置１は、表示態様を変更した第２のサブトラクション画像データと合成画像とをさらに合成することにより、表示画像中の造影部分の経時的変化を明確に示すことができるので、ユーザが造影剤の流入経路を容易に把握することが可能となる。その結果、例えば、骨に対する浸潤経路を容易に把握することが可能となる。
【０３０２】
[変形例]
また第１２実施形態の他の例として、順次生成される第２のサブトラクション画像における造影剤の流入領域の変化につき、合成画像中の変化部分の位置を特定して、当該特定部分の表示態様を変更して表示する構成としてもよい。
【０３０３】
すなわち、この変形例では算出部３５ｄが第２のサブトラクション画像データにおいて、画素ごとにおける各画素値と所定値αとを比較することにより、所定値αに対応する画素値を有する造影部分を特定する。この造影部分について、第１のサブトラクション画像における造影部分と区別するため、以下、「第２の造影部分」と記載する。算出部３５ｄは、このように時相の異なる第２のサブトラクション画像データの第２の造影部分を順次特定していく。
【０３０４】
算出部３５ｄは、このように第２のサブトラクション画像から第２の造影部分を特定していくことに応じて、第２のサブトラクション画像データにおいて第２の造影部分が存在するかについて判断する。すなわち、第２のサブトラクション画像は、サブトラクション画像同士の差分であるので、第２の造影部分が存在する場合は、前の時点と比較して造影部分に経時的な変化（図１２Ａ〜図１２Ｃ参照）があったことになる。算出部３５ｄは、第２のサブトラクション画像データに第２の造影部分が存在する場合、その第２の造影部分の位置情報を合成部３５ｅに送る。位置情報とは、例えば画像における座標情報である。
【０３０５】
ただし、このような構成に限らず、ユーザが認識する必要がない程度の造影部分の微小な変化があったに過ぎない場合は、表示態様を変更しない構成とすることも可能である。すなわち、算出部３５ｄは、第２のサブトラクション画像データにおける第２の造影部分の面積があらかじめ設定された閾値に到達するまでは、合成部３５ｅに第２の造影部分の位置情報を送らない構成とすることも可能である。言換すると、算出部３５ｄは第２の造影部分の面積があらかじめ設定された閾値に到達した場合に、合成部３５ｅに第２の造影部分の位置情報を送る。
【０３０６】
（動作）
次に、図１４を参照して、本実施形態の上記変形例にかかるＸ線ＣＴ装置１の動作について説明する。図１４は、第１２実施形態にかかるＸ線ＣＴ装置１の変形例の動作の概要を示すフローチャートである。ここでは、算出部３５ｄおよび合成部３５ｅの動作およびその動作に基づく制御について主に説明する。また、以下においては、基準画像として非造影画像を用いる場合について説明する。
【０３０７】
＜Ｓ８１〜Ｓ８５＞
この変形例にかかるＸ線ＣＴ装置１では、図１３における造影画像の生成（Ｓ８１）、サブトラクション画像の生成（Ｓ８２）、造影剤の流入領域の特定（Ｓ８３）、第２の造影部分の面積の算出（Ｓ８４）、および第２の造影部分が閾値に到達したかの判断（Ｓ８５）について、第１３実施形態（Ｓ７１〜Ｓ７５）と同様であるので説明を割愛する。
【０３０８】
＜Ｓ８６＞
算出部３５ｄは、第２のサブトラクション画像データにおける第２の造影部分の面積が、あらかじめ設定された閾値に到達したと判断した場合は（Ｓ８５；Ｙｅｓ）、第２の造影部分の位置情報を合成部３５ｅに送る。
【０３０９】
＜Ｓ８７＞
合成部３５ｅは、算出部３５ｄからＳ８３において求められた造影剤の流入領域Ａ２の位置情報と共にサブトラクション画像データを受けると、位置情報に基づいて造影剤の流入領域Ａ２を抽出する。また、合成部３５ｅは、算出部３５ｄから受けた第２の造影部分の位置情報に基づき合成画像データにおける対応部分を特定する。さらに合成部３５ｅは、記憶部３６から読み出した非造影画像データと抽出した造影剤の流入領域Ａ２との合成画像（図２Ｄ）を生成するとともに、特定した部分の表示態様を変更し、当該部分が識別可能な（例えば強調された）合成画像を生成する。
【０３１０】
＜Ｓ８８＞
算出部３５ｄが、第２の造影部分の面積が上記閾値に到達していないと判断した場合（Ｓ８５；Ｎｏ）、合成部３５ｅは、造影部分の経時的変化の表示態様を変更することなく、抽出した造影剤の流入領域Ａ２との合成画像（図２Ｄ）を生成する。
【０３１１】
＜Ｓ８９＞
架台装置１０の主制御部３８は、入力部３１を介した本スキャンの終了指示があったかを判断する。主制御部３８は、当該指示が未だ入力されていない時点では（Ｓ８９；Ｎｏ）、上記Ｓ８１〜Ｓ８８の工程を繰り返す。つまり、Ｘ線ＣＴ装置１はスキャンを継続する。これに対し主制御部３８は、本スキャンの終了指示があったと判断すると（Ｓ８９；Ｙｅｓ）、スキャンを終了する。
【０３１２】
この変形例においても第１２実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。
【０３１３】
また、合成画像における第２の造影部分を特定し、その部分の表示態様を変更することにより、表示画像中の造影部分の経時的変化を明確に示すことができるので、ユーザが造影剤の流入経路を容易に把握することが可能となる。
【０３１４】
［第１３実施形態］
次に、第１３実施形態にかかるＸ線ＣＴ装置１について図１５を参照して説明する。第１３実施形態においては、第２実施形態と比較して、画像処理部３５ｃの処理内容および合成部３５ｅの処理内容のみが異なる。またこれらの相違に応じた各部の動作や処理内容も異なる場合がある。その他の部分は第１実施形態にかかるＸ線ＣＴ装置１と同様である。以下、第２実施形態との相違点を中心に説明する。
【０３１５】
（概要）
第２実施形態と同様に、第１３実施形態にかかるＸ線ＣＴ装置１においても、コンソール装置３０の各種制御部により架台装置１０を駆動し、サブトラクション画像（図２Ｃ）を生成する。
【０３１６】
ただし、第１３実施形態においては、基準画像および造影画像に基づくサブトラクション画像を生成するだけでなく、時相の異なる造影画像それぞれに基づくサブトラクション画像を経時的に生成していく。なお、第１２実施形態の説明と同様に「第１のサブトラクション画像」と「第２のサブトラクション画像」とを区別して説明する。
【０３１７】
さらに第１３実施形態においては、順次生成される第２のサブトラクション画像との表示態様を変更し、かつ合成画像とさらに合成し、表示用の画像を生成する。
【０３１８】
＜画像生成部＞
画像生成部３５ｃは、第２実施形態と同様に、再構成処理部３５ｂで作成された断層画像データまたはボリュームデータに対する画像処理を行い、非造影画像等の基準画像データ、造影画像データ、第１のサブトラクション画像データおよび第２のサブトラクション画像データ等のＸ線ＣＴ画像データを生成する。まず画像生成部３５ｃは、基準画像データを生成すると、主制御部３８を介して記憶部３６に記憶させる。また第２実施形態と同様に、画像生成部３５ｃは、造影画像データを生成する。
【０３１９】
また画像生成部３５ｃは、造影画像データと基準画像データとのサブトラクション処理を行う。つまり、第１実施形態と同様に、架台装置１０によるスキャンが開始されると、画像生成部３５ｃは第１のサブトラクション画像を生成する。
【０３２０】
ただし、第１３実施形態における処理部３５ｃは、所定回数だけ第１のサブトラクション画像を生成した後、第２のサブトラクション画像の生成も開始する。すなわち、画像生成部３５ｃは、生成した造影画像と、当該造影画像とは時相の異なる造影画像（「第２の造影画像」の一例）とをサブトラクション処理することにより、第２のサブトラクション画像を生成する。例えば、画像生成部３５ｃは、直前（１回前）のスキャンによって生成したサブトラクション画像と現在生成したサブトラクション画像とをサブトラクション処理する。この処理によって第２のサブトラクション画像を生成する。この処理については第１２実施形態と同様である。
【０３２１】
＜算出部＞
第２実施形態と同様に算出部３５ｄは、基準画像データにおいて画素ごとにおける各画素値と所定値βを比較することにより注目部位を特定する。算出部３５ｄは、当該比較により、所定値βに対応する画素値を有するかについて判断する。当該判断の結果、算出部３５ｄは、基準画像データの画素から、注目部分を特定する。
【０３２２】
＜合成部＞
合成部３５ｅは、基準画像データにおいて注目部位（例：注目部位を示す領域Ａ１）を抽出して、第１のサブトラクション画像データまたは造影画像データと合成する。さらに、合成部３５ｅは、第２のサブトラクション画像データの表示態様を上記合成された画像と区別するように変更する。第１３実施形態において合成部３５ｅは、表示態様変更後の第２サブトラクション画像と当該合成された画像データを合成する。表示態様の変更方法としては、上記特定した部分についてその周囲の部分と異なる色を割り当てる等の方法が挙げられる。その他、表示態様の変更方法として、造影部分を所定時間毎に反転表示させる、点滅して表示させる、特定の輝度（造影部分と識別できる輝度）を割り当てる等、任意の方法を用いることが可能である。
【０３２３】
注目部位と第１のサブトラクション画像データ等とを合成した合成画像データと、第２のサブトラクション画像とを合成した表示用の画像においては、当該経時的変化があった部分の表示態様が変更される。したがって、図１２Ａ〜図１２Ｃに示すように造影部分の経時的な変化を明確に示すことが可能となる。
【０３２４】
ただし、このような構成に限らず、算出部３５ｄは第２のサブトラクション画像における造影部分の面積があらかじめ設定された閾値に到達した場合に、合成部３５ｅに第２のサブトラクション画像を送る構成とすることも可能である。
【０３２５】
（動作）
次に、図１５を参照して、本実施形態にかかるＸ線ＣＴ装置１の動作について説明する。図１５は、第１３実施形態にかかるＸ線ＣＴ装置１の動作の概要を示すフローチャートである。ここでは、算出部３５ｄおよび合成部３５ｅの動作およびその動作に基づく制御について主に説明する。また、以下においては、基準画像として非造影画像を用いる場合について説明する。
【０３２６】
＜Ｓ９１＞
処理部３５は、本スキャンによりコンソール装置３０が受けた収集データに基づき、造影画像データを生成する。
【０３２７】
＜Ｓ９２＞
処理部３５はＳ９１で造影画像データを生成すると、記憶部３６から本スキャンに応じた非造影画像を読み出す。画像生成部３５ｃは、非造影画像データ（図２Ａ）と造影画像データ（図２Ｂ）とのサブトラクション処理を実行する。このサブトラクション処理によって、第１のサブトラクション画像データが生成される。第１のサブトラクション画像データは、合成部３５ｅに送られる。
【０３２８】
＜Ｓ９３＞
算出部３５ｄは、記憶部３６から非造影画像データを読み出す。また、算出部３５ｄは、あらかじめ記憶している所定値βと非造影画像データの各画素値を比較する。比較の結果、算出部３５ｄは、非造影画像データから、骨などの注目部位を表す注目部分（例：注目部位を示す領域Ａ１）を特定する。
【０３２９】
さらに算出部３５ｄは、画像生成部３５ｃが生成した第２のサブトラクション画像データを受ける。また、算出部３５ｄは、あらかじめ記憶している所定値αと第２のサブトラクション画像データの各画素値を比較する。比較の結果、算出部３５ｄは、第２のサブトラクション画像の画素から、造影部分を特定する。算出部３５ｄは、このように時相の異なる第２のサブトラクション画像データの造影部分を順次特定していく。
【０３３０】
＜Ｓ９４＞
算出部３５ｄは、第２のサブトラクション画像データにおける造影部分の面積を求める。
【０３３１】
＜Ｓ９５＞
算出部３５ｄは、第２のサブトラクション画像データにおける造影部分の面積があらかじめ設定された閾値に到達したか判断する。
【０３３２】
＜Ｓ９６＞
算出部３５ｄは、第２のサブトラクション画像データにおける造影部分の面積が、あらかじめ設定された閾値に到達したと判断した場合は（Ｓ９５；Ｙｅｓ）、第２のサブトラクション画像を合成部３５ｅに送る。
【０３３３】
＜Ｓ９７＞
合成部３５ｅは、算出部３５ｄから注目部分（例：注目部位を示す領域Ａ１）の位置情報と共に基準画像データを受けると、位置情報に基づいて注目部分を抽出する。また、合成部３５ｅは、第１のサブトラクション画像データまたは造影画像データと、抽出した注目部分とを合成する。さらに合成部３５ｅは、第２のサブトラクション画像の表示態様を変更し、かつ変更後の第２のサブトラクション画像と当該合成画像とをさらに合成した表示用の合成画像を生成する。
【０３３４】
＜Ｓ９８＞
算出部３５ｄが、造影部分の面積が上記閾値に到達していないと判断した場合（Ｓ９５；Ｎｏ）、合成部３５ｅは、算出部３５ｄから第２のサブトラクション画像を受けず、注目部分と、第１のサブトラクション画像（または造影画像）との合成画像（図２Ｄ）を生成する。
【０３３５】
＜Ｓ９９＞
架台装置１０の主制御部３８は、入力部３１を介した本スキャンの終了指示があったかを判断する。主制御部３８は、当該指示が未だ入力されていない時点では（Ｓ９９；Ｎｏ）、上記Ｓ９１〜Ｓ９８の工程を繰り返す。つまり、Ｘ線ＣＴ装置１はスキャンを継続する。これに対し主制御部３８は、本スキャンの終了指示があったと判断すると（Ｓ９９；Ｙｅｓ）、スキャンを終了する。
【０３３６】
なお、ボリュームデータ同士をサブトラクション処理し、第２の造影部分を当該サブトラクションされたボリュームデータにおいて特定する構成であってもよい。
【０３３７】
さらに、算出部３５ｄによって、合成画像、造影画像等における造影部分のサイズ（面積または体積）を求め、その面積等の増加に基づき、造影部分の広がりをベクトル表示させることも可能である。また造影部分のサイズおよび画素値の変化に基づき濃度勾配を合成画像と共に表示させてもよい。
【０３３８】
（作用効果）
上述の第１３実施形態にかかるＸ線ＣＴ装置１の作用および効果について説明する。
【０３３９】
本実施形態におけるＸ線ＣＴ装置１は、サブトラクション画像から造影剤の流入領域を抽出して基準画像との合成画像を生成する。合成画像においては、被検体内の構造物に比べ、造影剤の流入範囲が相対的に強調される。したがって、表示される合成画像おいて、基準画像データに含まれていた被検体内の部位の像と、サブトラクション画像データに含まれていた造影剤の流入領域の像とが明確に識別可能な状態となる。つまり、表示された画像における造影剤の流入範囲の把握が容易となる。その結果、病変部に対する処置（術式等）の判断を支援することが可能となる。
【０３４０】
また、第１３実施形態にかかるＸ線ＣＴ装置１は、表示態様を変更した第２のサブトラクション画像データと合成画像とをさらに合成することにより、表示画像中の造影部分の経時的変化を示すことができるので、ユーザが造影剤の流入経路を容易に把握することが可能となる。その結果、例えば、骨に対する浸潤経路を容易に把握することが可能となる。
【０３４１】
［変形例］
また第１３実施形態の他の例として、順次生成される第２のサブトラクション画像における造影剤の流入領域の変化につき、合成画像中の変化部分の位置を特定して、当該特定部分の表示態様を変更して表示する構成としてもよい。
【０３４２】
すなわち、この変形例では算出部３５ｄが第２のサブトラクション画像データにおいて、画素ごとにおける各画素値と所定値αとを比較することにより、所定値αに対応する画素値を有する第２の造影部分を特定する。算出部３５ｄは、このように時相の異なる第２のサブトラクション画像データの第２の造影部分を順次特定していく。
【０３４３】
算出部３５ｄは、このように第２のサブトラクション画像から第２の造影部分を特定していくことに応じて、第２のサブトラクション画像データにおいて第２の造影部分が存在するかについて判断する。算出部３５ｄは、第２のサブトラクション画像データに第２の造影部分が存在する場合、その第２の造影部分の位置情報を合成部３５ｅに送る。
【０３４４】
ただし、このような構成に限らず、算出部３５ｄは第２の造影部分の面積があらかじめ設定された閾値に到達した場合に、合成部３５ｅに第２の造影部分の位置情報を送る構成とすることも可能である。
【０３４５】
（動作）
次に、図１６を参照して、本実施形態の上記変形例にかかるＸ線ＣＴ装置１の動作について説明する。図１６は、第１３実施形態にかかるＸ線ＣＴ装置１の変形例の動作の概要を示すフローチャートである。ここでは、算出部３５ｄおよび合成部３５ｅの動作およびその動作に基づく制御について主に説明する。また、以下においては、基準画像として非造影画像を用いる場合について説明する。
【０３４６】
＜Ｓ１０１〜Ｓ１０５＞
この変形例にかかるＸ線ＣＴ装置１では、図１５における造影画像の生成（Ｓ１０１）、サブトラクション画像の生成（Ｓ１０２）、注目部分の特定（Ｓ１０３）、第２の造影部分の面積の算出（Ｓ１０４）、および第２の造影部分が閾値に到達したかの判断（Ｓ１０５）について、第１３実施形態（Ｓ９１〜Ｓ９５）と同様であるので説明を割愛する。
【０３４７】
＜Ｓ１０６＞
算出部３５ｄは、第２のサブトラクション画像データにおける造影部分の面積が、あらかじめ設定された閾値に到達したと判断した場合は（Ｓ１０５；Ｙｅｓ）、造影部分の位置情報を合成部３５ｅに送る。
【０３４８】
＜Ｓ１０７＞
合成部３５ｅは、算出部３５ｄからＳ１０３において求められた注目部分（例：注目部位を示す領域Ａ１）の位置情報と共に基準画像データを受けると、位置情報に基づいて注目部分を抽出する。また、合成部３５ｅは、算出部３５ｄから受けた第２のサブトラクション画像データにおける造影部分の位置情報に基づき合成画像データにおける対応部分を特定する。さらに合成部３５ｅは、第１のサブトラクション画像データまたは造影画像データと、抽出した注目部分との合成画像（図２Ｄ）を生成するとともに、特定した部分の表示態様を変更し、当該部分が識別可能な（例えば強調された）合成画像を生成する。
【０３４９】
＜Ｓ１０８＞
算出部３５ｄが、造影部分の面積が上記閾値に到達していないと判断した場合（Ｓ１０５；Ｎｏ）、合成部３５ｅは、造影部分の経時的変化の表示態様を変更することなく、抽出した注目部分との合成画像（図２Ｄ）を生成する。
【０３５０】
＜Ｓ１０９＞
架台装置１０の主制御部３８は、入力部３１を介した本スキャンの終了指示があったかを判断する。主制御部３８は、当該指示が未だ入力されていない時点では（Ｓ１０９；Ｎｏ）、上記Ｓ１０１〜Ｓ１０８の工程を繰り返す。つまり、Ｘ線ＣＴ装置１はスキャンを継続する。これに対し主制御部３８は、本スキャンの終了指示があったと判断すると（Ｓ１０９；Ｙｅｓ）、スキャンを終了する。
【０３５１】
この変形例においても第１３実施形態と同じく、合成画像おいて、被検体内の部位の像と、造影剤の流入領域の像とが明確に識別可能な状態となる。つまり、表示された画像における造影剤の流入範囲の把握が容易となる。その結果、病変部に対する処置（術式等）の判断を支援することが可能となる。
【０３５２】
また、合成画像における第２の造影部分を特定し、その部分の表示態様を変更することにより、表示画像中の造影部分の経時的変化を明確に示すことができるので、ユーザが造影剤の流入経路を容易に把握することが可能となる。
【０３５３】
［実施形態の組み合わせ］
上述した第１実施形態〜第１３実施形態およびこれらの変形例にかかるＸ線ＣＴ装置は、適宜組み合わせて構成することが可能である。このように適宜、上記実施形態を組み合わせることにより、表示された画像における造影剤の流入範囲の把握がさらに容易となる。その結果、病変部に対する処置（術式等）の判断を支援することがより確実に可能となる。
【０３５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０３５５】
１  Ｘ線ＣＴ装置
１０  架台装置
１１  Ｘ線発生部
１２  Ｘ線検出部
１３  回転体
１３ａ  開口部
１４  高電圧発生部
１５  架台駆動部
１６  Ｘ線絞り部
１７  絞り駆動部
１８  データ収集部
２０  寝台装置
２２  寝台駆動部
２３  寝台天板
２４  基台
３０  コンソール装置
３１  入力部
３２  表示部
３３  条件設定部
３４  スキャン制御部
３５  処理部
３５ａ  前処理部
３５ｂ  再構成処理部
３５ｃ  画像生成部
３５ｄ  算出部
３５ｅ  合成部
３６  記憶部
３７  表示制御部
３８  主制御部
【図１】
0006563442.tif 000002
【図２Ａ】
0006563442.tif 000003
【図２Ｂ】
0006563442.tif 000004
【図２Ｃ】
0006563442.tif 000005
【図２Ｄ】
0006563442.tif 000006
【図３】
0006563442.tif 000007
【図４】
0006563442.tif 000008
【図５】
0006563442.tif 000009
【図６】
0006563442.tif 000010
【図７】
0006563442.tif 000011
【図８】
0006563442.tif 000012
【図９】
0006563442.tif 000013
【図１０】
0006563442.tif 000014
【図１１】
0006563442.tif 000015
【図１２Ａ】
0006563442.tif 000016
【図１２Ｂ】
0006563442.tif 000017
【図１２Ｃ】
0006563442.tif 000018
【図１３】
0006563442.tif 000019
【図１４】
0006563442.tif 000020
【図１５】
0006563442.tif 000021
【図１６】
0006563442.tif 000022